(57)【要約】被験者ごとの被験者ＩＤを取得するデータ入力部（４２１）と、薬液の注入を実行する注入実行機構（４１２）と、注入実行機構を注入制御データに対応して動作制御する注入制御部（４２２）と、動作制御に利用された注入制御データを被験者ＩＤとともに登録するデータ登録部（４２４）と、取得された被験者ＩＤに対応する注入制御データをデータ登録部から取得するデータ取得部（４２６）と、取得された注入制御データを注入制御部に設定する制御設定部（４２７）とを有する薬液注入装置（４００）、前記薬液注入装置を有する透視撮像システム、及び、前記薬液注入装置のためのコンピュータプログラム。
2008149518.tif 000002
【特許請求の範囲】
【請求項１】
被験者から透視画像データを撮像する透視撮像装置と、前記透視画像データが撮像される前記被験者に薬液を注入する薬液注入装置と、を有する透視撮像システムの前記薬液注入装置であって、
前記被験者ごとの被験者ＩＤを取得するデータ入力部と、
前記薬液の注入を実行する注入実行機構と、
前記注入実行機構を前記注入制御データに対応して動作制御する注入制御部と、
前記動作制御に利用された前記注入制御データを前記被験者ＩＤとともに登録するデータ登録部と、
取得された前記被験者ＩＤに対応する前記注入制御データを前記データ登録部から取得するデータ取得部と、
取得された前記注入制御データを前記注入制御部に設定する制御設定部と、
を有する薬液注入装置。
【請求項２】
被験者から透視画像データを撮像する透視撮像装置と、前記透視画像データが撮像される前記被験者に薬液を注入する薬液注入装置と、を有する透視撮像システムの前記薬液注入装置であって、
前記被験者ごとの被験者ＩＤを取得するデータ入力部と、
前記薬液の注入を実行する注入実行機構と、
前記注入実行機構を前記注入制御データに対応して動作制御する注入制御部と、
前記注入制御データに対応した前記注入実行機構の動作履歴からなる注入履歴データを生成する履歴生成部と、
生成された前記注入履歴データを前記被験者ＩＤとともに登録するデータ登録部と、
入力された前記被験者ＩＤに対応する前記注入履歴データを前記データ登録部から取得するデータ取得部と、
取得された前記注入履歴データを前記注入制御データとして前記注入制御部に設定する制御設定部と、
を有する薬液注入装置。
【請求項３】
被験者から透視画像データを撮像する透視撮像装置と、前記透視画像データが撮像される前記被験者に薬液を注入する薬液注入装置と、前記透視画像データを前記被験者ごとの被験者ＩＤとともに保存するデータ保存装置と、を有する透視撮像システムの前記薬液注入装置であって、
前記被験者ＩＤを取得するデータ入力部と、
前記薬液の注入を実行する注入実行機構と、
前記注入実行機構を前記注入制御データに対応して動作制御する注入制御部と、
前記動作制御に利用された前記注入制御データを前記透視画像データに関連させて前記データ保存装置に登録するデータ登録部と、
取得された前記被験者ＩＤに対応する前記注入制御データを前記データ保存装置から取得するデータ取得部と、
取得された前記注入制御データを前記注入制御部に設定する制御設定部と、
を有する薬液注入装置。
【請求項４】
被験者から透視画像データを撮像する透視撮像装置と、前記透視画像データが撮像される前記被験者に薬液を注入する薬液注入装置と、前記透視画像データを前記被験者ごとの被験者ＩＤとともに保存するデータ保存装置と、を有する透視撮像システムの前記薬液注入装置であって、
前記被験者ＩＤを取得するデータ入力部と、
前記薬液の注入を実行する注入実行機構と、
前記注入実行機構を前記注入制御データに対応して動作制御する注入制御部と、
前記注入制御データに対応した前記注入実行機構の動作履歴からなる注入履歴データを生成する履歴生成部と、
生成された前記注入履歴データを前記透視画像データに関連させて前記データ保存装置に登録するデータ登録部と、
入力された前記被験者ＩＤに対応する前記注入履歴データを前記データ保存装置から取得するデータ取得部と、
取得された前記注入履歴データを前記注入制御データとして前記注入制御部に設定する制御設定部と、
を有する薬液注入装置。
【請求項５】
前記データ入力部は、前記薬液の注入条件に関連した所定の注入条件データも入力され、
前記データ登録部は、前記注入制御データを前記被験者ＩＤと前記注入条件データとともに登録し、
前記データ取得部は、入力された前記被験者ＩＤと前記注入条件データとに対応する前記注入制御データを取得する請求項１または３に記載の薬液注入装置。
【請求項６】
前記データ入力部は、前記薬液の注入条件に関連した所定の注入条件データも入力され、
前記データ登録部は、前記注入履歴データを前記被験者ＩＤと前記注入条件データとともに登録し、
前記データ取得部は、入力された前記被験者ＩＤと前記注入条件データとに対応する前記注入履歴データを取得する請求項２または４に記載の薬液注入装置。
【請求項７】
前記透視撮像システムは、収容している前記薬液の少なくとも製品ＩＤを記憶しているＲＦＩＤ（Ｒａｄｉｏ  Ｆｒｅｑｕｅｎｃｙ  Ｉｄｅｎｔｉｆｉｃａｔｉｏｎ）チップが搭載されている薬液シリンジを、さらに有し、
前記データ入力部は、前記薬液シリンジの前記ＲＦＩＤチップから前記製品ＩＤを取得し、
前記データ登録部は、前記注入制御データとともに前記製品ＩＤも登録し、
前記データ取得部は、前記注入制御データとともに前記製品ＩＤも取得し、
前記注入制御データとともに取得された前記製品ＩＤと前記薬液シリンジから取得された前記製品ＩＤとの一致を確認するデータ確認部と、
前記製品ＩＤが一致しないと警告を報知出力する警告報知部とを、さらに有する請求項１または３または５に記載の薬液注入装置。
【請求項８】
前記透視撮像システムは、収容している前記薬液の少なくとも製品ＩＤを記憶しているＲＦＩＤチップが搭載されている薬液シリンジを、さらに有し、
前記データ入力部は、前記薬液シリンジの前記ＲＦＩＤチップから前記製品ＩＤを取得し、
前記データ登録部は、前記注入履歴データとともに前記製品ＩＤも登録し、
前記データ取得部は、前記注入履歴データとともに前記製品ＩＤも取得し、
前記注入履歴データとともに取得された前記製品ＩＤと前記薬液シリンジから取得された前記製品ＩＤとの一致を確認するデータ確認部と、
前記製品ＩＤが一致しないと警告を報知出力する警告報知部とを、さらに有する請求項２または４または６に記載の薬液注入装置。
【請求項９】
前記透視撮像システムは、収容している前記薬液の少なくとも含有成分を記憶しているＲＦＩＤチップが搭載されている薬液シリンジを、さらに有し、
前記データ入力部は、前記薬液シリンジの前記ＲＦＩＤチップから前記含有成分を取得し、
前記データ登録部は、前記注入制御データとともに前記含有成分も登録し、
前記データ取得部は、前記注入制御データとともに前記含有成分も取得し、
前記注入制御データとともに取得された前記含有成分と前記薬液シリンジから取得された前記含有成分との一致を確認するデータ確認部と、
前記含有成分が一致しないと警告を報知出力する警告報知部とを、さらに有する請求項１または３または５に記載の薬液注入装置。
【請求項１０】
前記透視撮像システムは、収容している前記薬液の少なくとも含有成分を記憶しているＲＦＩＤチップが搭載されている薬液シリンジを、さらに有し、
前記データ入力部は、前記薬液シリンジの前記ＲＦＩＤチップから前記含有成分を取得し、
前記データ登録部は、前記注入履歴データとともに前記含有成分も登録し、
前記データ取得部は、前記注入履歴データとともに前記含有成分も取得し、
前記注入履歴データとともに取得された前記含有成分と前記薬液シリンジから取得された前記含有成分との一致を確認するデータ確認部と、
前記含有成分が一致しないと警告を報知出力する警告報知部とを、さらに有する請求項２または４または６に記載の薬液注入装置。
【請求項１１】
前記透視撮像システムは、収容している前記薬液の少なくとも化学分類を記憶しているＲＦＩＤチップが搭載されている薬液シリンジを、さらに有し、
前記データ入力部は、前記薬液シリンジの前記ＲＦＩＤチップから前記化学分類を取得し、
前記データ登録部は、前記注入制御データとともに前記化学分類も登録し、
前記データ取得部は、前記注入制御データとともに前記化学分類も取得し、
前記注入制御データとともに取得された前記化学分類と前記薬液シリンジから取得された前記化学分類との一致を確認するデータ確認部と、
前記化学分類が一致しないと警告を報知出力する警告報知部とを、さらに有する請求項１または３または５に記載の薬液注入装置。
【請求項１２】
前記透視撮像システムは、収容している前記薬液の少なくとも化学分類を記憶しているＲＦＩＤチップが搭載されている薬液シリンジを、さらに有し、
前記データ入力部は、前記薬液シリンジの前記ＲＦＩＤチップから前記化学分類を取得し、
前記データ登録部は、前記注入履歴データとともに前記化学分類も登録し、
前記データ取得部は、前記注入履歴データとともに前記化学分類も取得し、
前記注入履歴データとともに取得された前記化学分類と前記薬液シリンジから取得された前記化学分類との一致を確認するデータ確認部と、
前記化学分類が一致しないと警告を報知出力する警告報知部とを、さらに有する請求項２または４または６に記載の薬液注入装置。
【請求項１３】
前記透視撮像システムは、少なくとも前記被験者ＩＤが記録されているＲＦＩＤチップが搭載されている前記被験者ごとの被験者管理媒体を、さらに有し、
前記データ入力部は、前記被験者管理媒体の前記ＲＦＩＤチップから前記被験者ＩＤを取得する請求項１ないし１２の何れか一項に記載の薬液注入装置。
【請求項１４】
前記透視撮像システムは、前記被験者ＩＤが設定されている撮像オーダデータを記憶する撮像管理装置を、さらに有し、
前記透視撮像装置は、前記撮像オーダデータに対応して前記被験者から前記透視画像データを撮像し、
前記データ入力部は、前記撮像管理装置から前記撮像オーダデータの一部として前記被験者ＩＤを取得する請求項３または４に記載の薬液注入装置。
【請求項１５】
前記透視撮像システムは、少なくとも前記被験者ＩＤを記憶しているＲＦＩＤチップが搭載されている前記被験者ごとの被験者管理媒体を、さらに有し、
前記データ入力部は、前記被験者管理媒体の前記ＲＦＩＤチップから前記被験者ＩＤを取得し、前記撮像管理装置から前記撮像オーダデータの少なくとも一部として前記被験者ＩＤを取得し、
前記ＲＦＩＤチップから取得された前記被験者ＩＤと前記撮像オーダデータから取得された前記被験者ＩＤとの一致を確認するデータ確認部と、
前記一致が確認されるまで前記注入制御部による前記注入実行機構の動作制御を禁止する注入規制部とを、
さらに有する請求項１４に記載の薬液注入装置。
【請求項１６】
前記データ入力部は、注入直前の最終確認が入力操作されると前記撮像管理装置から前記被験者ＩＤを再度取得し、
事前取得された前記被験者ＩＤと再度取得された前記被験者ＩＤとの一致を確認するデータ確認部と、
前記一致が確認されるまで前記注入制御部による前記注入実行機構の動作制御を禁止する注入規制部とを、
さらに有する請求項１４または１５に記載の薬液注入装置。
【請求項１７】
前記一致が確認されないと所定の確認警告を報知出力する警告報知部を、さらに有する請求項１５または１６に記載の薬液注入装置。
【請求項１８】
前記透視撮像システムは、収容している前記薬液の少なくとも製品ＩＤを記憶しているＲＦＩＤチップが搭載されている薬液シリンジを、さらに有し、
前記撮像管理装置は、前記被験者ごとに注入に不適な前記薬液の製品ＩＤが不適ＩＤとして前記被験者ＩＤとともに設定されている前記撮像オーダデータを記憶し、
前記データ入力部は、前記薬液シリンジの前記ＲＦＩＤチップから前記製品ＩＤを取得するとともに前記撮像オーダデータから前記不適ＩＤを取得し、
前記薬液シリンジから取得された前記製品ＩＤと前記撮像オーダデータから取得された前記不適ＩＤとの一致を確認するデータ確認部と、
前記製品ＩＤが前記不適ＩＤに一致すると警告を報知出力する警告報知部とを、さらに有する請求項１４ないし１７の何れか一項に記載の薬液注入装置。
【請求項１９】
前記透視撮像システムは、収容している前記薬液の少なくとも含有成分を記憶しているＲＦＩＤチップが搭載されている薬液シリンジを、さらに有し、
前記撮像管理装置は、前記被験者ごとに注入に不適な前記薬液の含有成分が不適成分として前記被験者ＩＤとともに設定されている前記撮像オーダデータを記憶し、
前記データ入力部は、前記薬液シリンジの前記ＲＦＩＤチップから前記含有成分を取得するとともに前記撮像オーダデータから前記不適成分を取得し、
前記薬液シリンジから取得された前記含有成分と前記撮像オーダデータから取得された前記不適成分との整合を確認するデータ確認部と、
前記含有成分が前記不適成分に整合すると警告を報知出力する警告報知部とを、さらに有する請求項１４ないし１８の何れか一項に記載の薬液注入装置。
【請求項２０】
前記透視撮像システムは、収容している前記薬液の少なくとも化学分類を記憶しているＲＦＩＤチップが搭載されている薬液シリンジを、さらに有し、
前記撮像管理装置は、前記被験者ごとに注入に不適な前記薬液の化学分類が不適分類として前記被験者ＩＤとともに設定されている前記撮像オーダデータを記憶し、
前記データ入力部は、前記薬液シリンジの前記ＲＦＩＤチップから前記化学分類を取得するとともに前記撮像オーダデータから前記不適分類も取得し、
前記薬液シリンジから取得された前記化学分類と前記撮像オーダデータから取得された前記不適分類との整合を確認するデータ確認部と、
前記化学分類が前記不適分類に整合すると警告を報知出力する警告報知部とを、さらに有する請求項１４ないし１９の何れか一項に記載の薬液注入装置。
【請求項２１】
前記被験者ＩＤに対応して取得された複数の前記注入制御データを一覧表示する条件一覧部を、さらに有し、
前記制御設定部は、一覧表示された前記注入制御データの一つを選択操作に対応して前記注入制御部に設定する請求項１ないし２０の何れか一項に記載の薬液注入装置。
【請求項２２】
前記被験者ＩＤに対応して取得された複数の前記注入制御データから所定条件に対応して一つを選択する条件選択部を、さらに有し、
前記制御設定部は、選択された前記注入制御データを前記注入制御部に設定する請求項１ないし２０の何れか一項に記載の薬液注入装置。
【請求項２３】
前記条件選択部は、取得された複数の前記注入制御データから最新の一つを選択する請求項２２に記載の薬液注入装置。
【請求項２４】
前記制御設定部は、入力操作に対応して前記注入制御データの新規設定および設定編集も実行する請求項１ないし２３の何れか一項に記載の薬液注入装置。
【請求項２５】
前記データ入力部は、前記薬液の注入条件に関連した所定の注入条件データも入力され、
前記制御設定部は、入力された前記注入条件データに対応して前記注入制御データを調整する請求項２４に記載の薬液注入装置。
【請求項２６】
前記透視撮像システムは、少なくとも前記注入条件データの一部を記憶しているＲＦＩＤチップが搭載されていて前記薬液を収容している薬液シリンジを、さらに有し、
前記注入実行機構は、前記薬液シリンジを駆動し、
前記データ入力部は、前記ＲＦＩＤチップから前記注入条件データの少なくとも一部を取得する請求項２５に記載の薬液注入装置。
【請求項２７】
前記透視撮像システムは、少なくとも前記注入条件データの一部と前記被験者ＩＤとを記憶しているＲＦＩＤチップが搭載されている前記被験者ごとの被験者管理媒体を、さらに有し、
前記データ入力部は、前記被験者管理媒体の前記ＲＦＩＤチップから前記注入条件データの少なくとも一部を取得する請求項２５または２６に記載の薬液注入装置。
【請求項２８】
被験者から透視画像データを撮像する透視撮像装置と、前記透視画像データが撮像される前記被験者に薬液を注入する薬液注入装置と、前記透視画像データを前記被験者ごとの被験者ＩＤとともに保存するデータ保存装置と、を有する透視撮像システムであって、
請求項３に記載の前記薬液注入装置と、
前記薬液注入装置から入力される前記注入制御データを前記被験者ＩＤとともに記憶する前記データ保存装置と、
を有する透視撮像システム。
【請求項２９】
被験者から透視画像データを撮像する透視撮像装置と、前記透視画像データが撮像される前記被験者に薬液を注入する薬液注入装置と、前記透視画像データを前記被験者ごとの被験者ＩＤとともに保存するデータ保存装置と、を有する透視撮像システムであって、
請求項４に記載の前記薬液注入装置と、
前記薬液注入装置から入力される前記注入履歴データを前記被験者ＩＤとともに記憶する前記データ保存装置と、
を有する透視撮像システム。
【請求項３０】
請求項１に記載の薬液注入装置のためのコンピュータプログラムであって、
前記被験者ごとの被験者ＩＤが入力されるデータ入力処理と、
前記注入実行機構を前記注入制御データに対応して動作制御する注入制御処理と、
前記動作制御に利用された前記注入制御データを前記被験者ＩＤとともに登録するデータ登録処理と、
取得された前記被験者ＩＤに対応する前記注入制御データを前記データ登録部から取得するデータ取得処理と、
取得された前記注入制御データを前記注入制御部に設定する制御設定処理と、
を前記薬液注入装置に実行させるコンピュータプログラム。
【請求項３１】
請求項２に記載の薬液注入装置のためのコンピュータプログラムであって、
前記被験者ごとの被験者ＩＤを取得するデータ入力処理と、
前記注入実行機構を前記注入制御データに対応して動作制御する注入制御処理と、
前記注入制御データに対応した前記注入実行機構の動作履歴からなる注入履歴データを生成する履歴生成処理と、
生成された前記注入履歴データを前記被験者ＩＤとともに登録するデータ登録処理と、
入力された前記被験者ＩＤに対応する前記注入履歴データを前記データ登録部から取得するデータ取得処理と、
取得された前記注入履歴データを前記注入制御データとして前記注入制御部に設定する制御設定処理と、
を前記薬液注入装置に実行させるコンピュータプログラム。
【請求項３２】
請求項３に記載の薬液注入装置のためのコンピュータプログラムであって、
前記被験者ＩＤを取得するデータ入力処理と、
前記注入実行機構を前記注入制御データに対応して動作制御する注入制御処理と、
前記動作制御に利用された前記注入制御データを前記透視画像データに関連させて前記データ保存装置に登録するデータ登録処理と、
取得された前記被験者ＩＤに対応する前記注入制御データを前記データ保存装置から取得するデータ取得処理と、
取得された前記注入制御データを前記注入制御部に設定する制御設定処理と、
を前記薬液注入装置に実行させるコンピュータプログラム。
【請求項３３】
請求項４に記載の薬液注入装置のためのコンピュータプログラムであって、
前記被験者ＩＤを取得するデータ入力処理と、
前記注入実行機構を前記注入制御データに対応して動作制御する注入制御処理と、
前記注入制御データに対応した前記注入実行機構の動作履歴からなる注入履歴データを生成する履歴生成処理と、
生成された前記注入履歴データを前記透視画像データに関連させて前記データ保存装置に登録するデータ登録処理と、
入力された前記被験者ＩＤに対応する前記注入履歴データを前記データ保存装置から取得するデータ取得処理と、
取得された前記注入履歴データを前記注入制御データとして前記注入制御部に設定する制御設定処理と、
を前記薬液注入装置に実行させるコンピュータプログラム。
【発明の詳細な説明】
【技術分野】
【０００１】
本発明は、透視画像データが撮像される被験者に薬液を注入する薬液注入装置、この薬液注入装置を一部とする透視撮像システム、薬液注入装置のコンピュータプログラム、に関する。
【背景技術】
【０００２】
現在、被験者の透視画像データである断層画像を撮像する透視撮像装置としては、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、超音波診断装置、等がある。また、被験者の透視画像データである血管画像を撮像する透視撮像装置としては、ＣＴアンギオ装置、ＭＲＡ（ＭＲ  Ａｎｇｉｏ）装置、等がある。【０００３】
上述のような透視撮像装置を使用するとき、被験者に造影剤や生理食塩水などの薬液を注入することがあり、この注入を自動的に実行する薬液注入装置も実用化されている。一般的な薬液注入装置は、薬液が充填されている薬液シリンジを保持し、そのシリンダ部材にピストン部材を圧入することで被験者に薬液を注入する。【０００４】
透視撮像装置はスタンドアロンでも機能するが、通常は透視撮像装置を一部とした透視撮像システムが構築される。このような透視撮像システムは、例えば、カルテ管理装置、撮像管理装置、透視撮像装置、データ保存装置、画像閲覧装置、等からなる。【０００５】
カルテ管理装置は、一般的にはＨＩＳ（Ｈｏｓｐｉｔａｌ  Ｉｎｆｏｒｍａｔｉｏｎ  Ｓｙｓｔｅｍ）等と呼称されており、いわゆる電子カルテを管理する。この電子カルテは、被験者ごとに作成されている。【０００６】
例えば、ある被験者から透視画像データを撮像する場合、その被験者の電子カルテに基づいてカルテ管理装置で撮像オーダデータが作成される。この撮像オーダデータは、被験者から透視画像データが撮像される撮像作業ごとに生成される。【０００７】
より具体的には、撮像オーダデータは、例えば、固有の識別情報である撮像作業ＩＤ（Ｉｄｅｎｔｉｔｙ）、透視撮像装置の識別情報、被験者ＩＤ、撮像開始および終了の日時、等からなる。【０００８】
このような撮像オーダデータがカルテ管理装置から撮像管理装置に供給される。撮像管理装置は、一般的にはＲＩＳ（Ｒａｄｉｏｌｏｇｙ  Ｉｎｆｏｒｍａｔｉｏｎ  Ｓｙｓｔｅｍ）等と呼称されており、被験者から透視画像データを撮像するための撮像オーダデータを記憶する。【０００９】
透視撮像装置は、撮像管理装置から撮像オーダデータを取得して撮像作業を実行する。その場合、透視撮像装置では、撮像オーダデータに対応して被験者から透視画像データが撮像される。この透視画像データは、透視撮像装置で撮像オーダデータの少なくとも一部が付与されてデータ保存装置に出力される。【００１０】
このデータ保存装置は、一般的にはＰＡＣＳ（Ｐｉｃｔｕｒｅ  Ａｒｃｈｉｖｅ  ａｎｄ  Ｃｏｍｍｕｎｉｃａｔｉｏｎ  Ｓｙｓｔｅｍ）等と呼称されており、撮像オーダデータが付与された透視画像データを保存する。【００１１】
データ保存装置には、一般にビューアと呼称される画像閲覧装置が接続されている。この画像閲覧装置は、例えば、撮像オーダデータを検索キーとして透視画像データを読み出し、その透視画像データを表示する。【００１２】
ただし、撮像管理装置は、通常は複数の撮像オーダデータを管理している。このため、撮像管理装置で管理されている複数の撮像オーダデータから透視撮像装置に一つを選択的に提供する必要がある。そこで、撮像管理装置には、例えば、プッシュ型とプル型と呼称される形式がある。【００１３】
プッシュ型の撮像管理装置は、例えば、作業者の手動操作により、管理している複数の撮像オーダデータから一つを選定する。このプッシュ型の撮像管理装置は、透視撮像装置から撮像オーダデータの取得要求を受信すると、選定されている一つの撮像オーダデータを返信する。【００１４】
プル型の撮像管理装置は、透視撮像装置から撮像オーダデータの取得要求とともにオーダ検索キーが送信される。このオーダ検索キーは、例えば、撮像オーダデータの撮像作業ＩＤ等からなる。【００１５】
そこで、撮像管理装置はオーダ検索キーで撮像オーダデータを検索し、検索された撮像オーダデータを透視撮像装置に返信する。この透視撮像装置は、一つの適正な撮像オーダデータが返信された場合、その撮像オーダデータに対応して被験者から透視画像データを撮像する。【００１６】
一方、複数の撮像オーダデータが検索されて返信された場合、透視撮像装置では、例えば、作業者の手動操作により、受信した複数の撮像オーダデータから一つが選定される。【００１７】
なお、上述のように撮像管理装置から送信された撮像オーダデータが透視撮像装置で確定されると、このことが撮像管理装置に通知される。このため、プル型の撮像管理装置でも、透視撮像装置で透視画像データの撮像に利用された一つの撮像オーダデータが特定される。【００１８】
上述のような透視撮像システムとしては、各種の提案がある（例えば、特許文献１，２参照）。
【特許文献１】特開２００１−１０１３２０号
【特許文献２】特開２００５−１９８８０８号
【発明の開示】
【００１９】
上述のような透視撮像システムでは、薬液注入装置により造影剤などの薬液が被験者に注入され、この被験者から透視撮像装置により撮像オーダデータに対応して透視画像データが撮像される。
【００２０】
しかし、被験者には造影剤を適正速度で適正容量のみ注入する必要がある。このため、作業者は被験者の撮像部位や体重などを考慮して造影剤の注入速度や注入総量などを決定し、これを注入制御データとして薬液注入装置に入力する必要がある。しかし、この作業は煩雑で熟達していない作業者には困難である。
【００２１】
しかも、従来の薬液注入装置では、注入制御データが設定されていれば、その注入制御データが実際に透視画像データが撮像される被験者に適切に対応していなくとも、薬液注入を実行することができる。このため、被験者に適切でない注入制御データにより薬液が注入されることを防止できない。
【００２２】
本発明は上述のような課題に鑑みてなされたものであり、被験者に適正な注入制御データを薬液注入装置に簡単に設定することができる透視撮像システムを提供することを目的とする。
【００２３】
本発明の第一の薬液注入装置は、被験者から透視画像データを撮像する透視撮像装置と、透視画像データが撮像される被験者に薬液を注入する薬液注入装置と、を有する透視撮像システムの薬液注入装置であって、被験者ごとの被験者ＩＤを取得するデータ入力部と、薬液の注入を実行する注入実行機構と、注入実行機構を注入制御データに対応して動作制御する注入制御部と、動作制御に利用された注入制御データを被験者ＩＤとともに登録するデータ登録部と、取得された被験者ＩＤに対応する注入制御データをデータ登録部から取得するデータ取得部と、取得された注入制御データを注入制御部に設定する制御設定部と、を有する。
【００２４】
従って、本発明の薬液注入装置では、被験者ＩＤと注入制御データとが入力されて薬液の注入が実行されると、その注入制御データが被験者ＩＤとともに登録される。そこで、同一の被験者で第二回目以後の薬液注入作業が実行されるときには、入力される被験者ＩＤにより過去の注入制御データが取得されて設定される。
【００２５】
本発明の第二の薬液注入装置は、被験者から透視画像データを撮像する透視撮像装置と、透視画像データが撮像される被験者に薬液を注入する薬液注入装置と、を有する透視撮像システムの薬液注入装置であって、被験者ごとの被験者ＩＤを取得するデータ入力部と、薬液の注入を実行する注入実行機構と、注入実行機構を注入制御データに対応して動作制御する注入制御部と、注入制御データに対応した注入実行機構の動作履歴からなる注入履歴データを生成する履歴生成部と、生成された注入履歴データを被験者ＩＤとともに登録するデータ登録部と、入力された被験者ＩＤに対応する注入履歴データをデータ登録部から取得するデータ取得部と、取得された注入履歴データを注入制御データとして注入制御部に設定する制御設定部と、を有する。
【００２６】
従って、本発明の薬液注入装置では、被験者ＩＤと注入制御データとが入力されて薬液の注入が実行されると、注入履歴データが生成されて被験者ＩＤとともに登録される。そこで、同一の被験者で第二回目以後の薬液注入作業が実行されるときには、入力される被験者ＩＤにより過去の注入履歴データが取得され、これが新規の注入制御データとして設定される。
【００２７】
本発明の第三の薬液注入装置は、被験者から透視画像データを撮像する透視撮像装置と、透視画像データが撮像される被験者に薬液を注入する薬液注入装置と、透視画像データを被験者ごとの被験者ＩＤとともに保存するデータ保存装置と、を有する透視撮像システムの薬液注入装置であって、被験者ＩＤを取得するデータ入力部と、薬液の注入を実行する注入実行機構と、注入実行機構を注入制御データに対応して動作制御する注入制御部と、動作制御に利用された注入制御データを透視画像データに関連させてデータ保存装置に登録するデータ登録部と、取得された被験者ＩＤに対応する注入制御データをデータ保存装置から取得するデータ取得部と、取得された注入制御データを注入制御部に設定する制御設定部と、を有する。
【００２８】
従って、本発明の薬液注入装置では、被験者ＩＤと注入制御データとが入力されて薬液の注入が実行されると、その注入制御データが被験者ＩＤとともに外部のデータ保存装置に登録される。そこで、同一の被験者で第二回目以後の薬液注入作業が実行されるときには、入力される被験者ＩＤによりデータ保存装置から注入制御データが取得されて設定される。
【００２９】
本発明の第四の薬液注入装置は、被験者から透視画像データを撮像する透視撮像装置と、透視画像データが撮像される被験者に薬液を注入する薬液注入装置と、透視画像データを被験者ごとの被験者ＩＤとともに保存するデータ保存装置と、を有する透視撮像システムの薬液注入装置であって、被験者ＩＤを取得するデータ入力部と、薬液の注入を実行する注入実行機構と、注入実行機構を注入制御データに対応して動作制御する注入制御部と、注入制御データに対応した注入実行機構の動作履歴からなる注入履歴データを生成する履歴生成部と、生成された注入履歴データを透視画像データに関連させてデータ保存装置に登録するデータ登録部と、入力された被験者ＩＤに対応する注入履歴データをデータ保存装置から取得するデータ取得部と、取得された注入履歴データを注入制御データとして注入制御部に設定する制御設定部と、を有する。
【００３０】
従って、本発明の薬液注入装置では、被験者ＩＤと注入制御データとが入力されて薬液の注入が実行されると、注入履歴データが生成されて被験者ＩＤとともに外部のデータ保存装置に登録される。そこで、同一の被験者で第二回目以後の薬液注入作業が実行されるときには、入力される被験者ＩＤによりデータ保存装置から注入履歴データが取得され、これが新規の注入制御データとして設定される。
【００３１】
本発明の第一の透視撮像システムは、被験者から透視画像データを撮像する透視撮像装置と、透視画像データが撮像される被験者に薬液を注入する薬液注入装置と、透視画像データを被験者ごとの被験者ＩＤとともに保存するデータ保存装置と、を有する透視撮像システムであって、本発明の第三の薬液注入装置と、薬液注入装置から入力される注入制御データを被験者ＩＤとともに記憶するデータ保存装置と、を有する。
【００３２】
本発明の第二の透視撮像システムは、被験者から透視画像データを撮像する透視撮像装置と、透視画像データが撮像される被験者に薬液を注入する薬液注入装置と、透視画像データを被験者ごとの被験者ＩＤとともに保存するデータ保存装置と、を有する透視撮像システムであって、本発明の第四の薬液注入装置と、薬液注入装置から入力される注入履歴データを被験者ＩＤとともに記憶するデータ保存装置と、を有する。
【００３３】
本発明の第一のコンピュータプログラムは、本発明の第一の薬液注入装置のためのコンピュータプログラムであって、被験者ごとの被験者ＩＤが入力されるデータ入力処理と、注入実行機構を注入制御データに対応して動作制御する注入制御処理と、動作制御に利用された注入制御データを被験者ＩＤとともに登録するデータ登録処理と、取得された被験者ＩＤに対応する注入制御データをデータ登録部から取得するデータ取得処理と、取得された注入制御データを注入制御部に設定する制御設定処理と、を薬液注入装置に実行させる。
【００３４】
本発明の第二のコンピュータプログラムは、本発明の第二の薬液注入装置のためのコンピュータプログラムであって、被験者ごとの被験者ＩＤを取得するデータ入力処理と、注入実行機構を注入制御データに対応して動作制御する注入制御処理と、注入制御データに対応した注入実行機構の動作履歴からなる注入履歴データを生成する履歴生成処理と、生成された注入履歴データを被験者ＩＤとともに登録するデータ登録処理と、入力された被験者ＩＤに対応する注入履歴データをデータ登録部から取得するデータ取得処理と、取得された注入履歴データを注入制御データとして注入制御部に設定する制御設定処理と、を薬液注入装置に実行させる。
【００３５】
本発明の第三のコンピュータプログラムは、本発明の第三の薬液注入装置のためのコンピュータプログラムであって、被験者ＩＤを取得するデータ入力処理と、注入実行機構を注入制御データに対応して動作制御する注入制御処理と、動作制御に利用された注入制御データを透視画像データに関連させてデータ保存装置に登録するデータ登録処理と、取得された被験者ＩＤに対応する注入制御データをデータ保存装置から取得するデータ取得処理と、取得された注入制御データを注入制御部に設定する制御設定処理と、を薬液注入装置に実行させる。
【００３６】
本発明の第四のコンピュータプログラムは、本発明の第四の薬液注入装置のためのコンピュータプログラムであって、被験者ＩＤを取得するデータ入力処理と、注入実行機構を注入制御データに対応して動作制御する注入制御処理と、注入制御データに対応した注入実行機構の動作履歴からなる注入履歴データを生成する履歴生成処理と、生成された注入履歴データを透視画像データに関連させてデータ保存装置に登録するデータ登録処理と、入力された被験者ＩＤに対応する注入履歴データをデータ保存装置から取得するデータ取得処理と、取得された注入履歴データを注入制御データとして注入制御部に設定する制御設定処理と、を薬液注入装置に実行させる。
【００３７】
なお、本発明で云う各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３８】
また、本発明で云う各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００３９】
本発明の薬液注入装置では、被験者ＩＤと注入制御データとが入力されて薬液の注入が実行されると、その注入制御データや注入履歴データが被験者ＩＤとともに登録される。そこで、同一の被験者で第二回目以後の薬液注入作業が実行されるときには、入力される被験者ＩＤにより過去の注入制御データや注入履歴データが取得され、これが新規の注入制御データとして設定される。このため、同一の被験者に対して同一の注入制御データを入力操作する必要がない。しかも、被験者ごとの注入制御データが被験者ＩＤにより登録されて取得されるので、被験者に不適な注入制御データが誤設定されて薬液が注入されることを自動的に防止できる。
【図面の簡単な説明】
【００４０】
上述した目的、および、その他の目的、特徴および利点は、以下に述べる好適な実施の形態、および、それに付随する以下の図面によって、さらに明らかになる。
【図１】本発明の実施の形態の薬液注入装置の論理構造を示す模式的なブロック図である。
【図２】透視撮像システムの論理構造を示す模式的なブロック図である。
【図３】透視撮像システムの物理構造を示すブロック図である。
【図４】ＣＴスキャナの透視撮像ユニットと薬液注入装置の注入実行ヘッドとの外観を示す斜視図である。
【図５】薬液注入装置の外観を示す斜視図である。
【図６】薬液注入装置の注入実行ヘッドを薬液シリンジとともに示す分解斜視図である。
【図７】薬液注入装置の他の論理構造を示す模式的なブロック図である。
【図８】薬液注入装置の表示画面に身体区分の模式画像が表示出力された初期状態を示す模式的な正面図である。
【図９】身体区分と撮像部位とが選定された表示状態を示す模式的な正面図である。
【図１０】注入制御データが表示出力された状態を示す模式的な正面図である。
【図１１】被験者ＩＤの取得中のガイダンスメッセージが表示出力された状態を示す模式的な正面図である。
【図１２】被験者ＩＤの取得エラーのガイダンスメッセージが表示出力された状態を示す模式的な正面図である。
【図１３】一の注入条件データが表示出力された状態を示す模式的な正面図である。
【図１４】他の注入条件データが表示出力された状態を示す模式的な正面図である。
【図１５】薬液条件データが表示出力された状態を示す模式的な正面図である。
【図１６】注入制御データが設定された表示状態を示す模式的な正面図である。
【図１７】被験者ＩＤの照合エラーのガイダンスメッセージが表示出力された状態を示す模式的な正面図である。
【図１８】手動設定された注入制御データにより薬液注入動作が実行された場合の経時グラフが表示出力された状態を示す模式的な正面図である。
【図１９】薬液条件データおよび注入条件データに基づいて自動設定された注入制御データにより薬液注入動作が実行された場合の経時グラフが表示出力された状態を示す模式的な正面図である。
【図２０】薬液注入装置の処理動作の前半部分を示すフローチャートである。
【図２１】薬液注入装置の処理動作の後半部分を示すフローチャートである。
【図２２】透視撮像システムの処理動作を示す模式的なタイムチャートである。
【図２３】一の変形例の薬液注入装置の注入実行ヘッドの外観を示す斜視図である。
【図２４】他の変形例の薬液注入装置の注入実行ヘッドの外観を示す斜視図である。
【発明を実施するための最良の形態】
【００４１】
本発明の実施の形態を図面を参照して以下に説明する。本発明の実施の形態の透視撮像システム１０００は、図２および図３に示すように、撮像管理装置であるＲＩＳ１００、透視撮像装置であるＣＴスキャナ２００、データ保存装置であるＰＡＣＳ３００、薬液注入装置４００、データ制御装置である制御ボックス５００、画像閲覧装置６００、を有する。【００４２】
本実施の形態の透視撮像システム１０００では、図示するように、ＣＴスキャナ２００が、ＬＡＮ（Ｌｏｃａｌ  Ａｒｅａ  Ｎｅｔｗｏｒｋ）等の通信ネットワーク７０１，７０２によりＲＩＳ１００およびＰＡＣＳ３００と接続されている。【００４３】
一方、制御ボックス５００も、通信ネットワーク７０３〜７０５により、ＲＩＳ１００、ＰＡＣＳ３００、薬液注入装置４００、と接続されている。そして、ＰＡＣＳ３００には、画像閲覧装置６００が通信ネットワーク７０６により接続されている。【００４４】
本実施の形態の透視撮像システム１０００は、いわゆるＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に準拠している。このため、その各種装置１００〜６００は、ＤＩＣＯＭの規約で各種データを相互通信する。【００４５】
本実施の形態の透視撮像システム１０００では、ＣＴスキャナ２００、ＰＡＣＳ３００、薬液注入装置４００、制御ボックス５００、が各々一個であり、何れの組み合わせも一対一の関係となっている。【００４６】
本実施の形態のＲＩＳ１００は、いわゆるコンピュータ装置からなり、専用のコンピュータプログラムが実装されている。このコンピュータプログラムに対応してコンピュータ装置が各種処理を実行することにより、ＲＩＳ１００には、オーダ管理部１０１、オーダ選定部１０２、統合制御部１０３、等の各部が各種機能として論理的に実現されている。【００４７】
オーダ管理部１０１は、例えば、ＨＤＤ（Ｈａｒｄ  Ｄｉｓｃ  Ｄｒｉｖｅ）などの記憶デバイスに相当し、被験者から透視画像データを撮像するための撮像オーダデータを固有の識別情報で管理する。【００４８】
その撮像オーダデータは、例えば、固有の識別情報である撮像作業ＩＤ、ＣＴスキャナ２００の識別情報、撮像開始および終了の日時、被験者ごとの被験者ＩＤ、被験者の体重や性別や年齢などの個人データ、被験者の疾病に関する各種データ、身体区分または撮像部位、薬液である造影剤の製品名称、等のテキストデータからなる。【００４９】
オーダ選定部１０２は、例えば、キーボードなどの入力操作に対応してＣＰＵ（Ｃｅｎｔｒａｌ  Ｐｒｏｃｅｓｓｉｎｇ  Ｕｎｉｔ）が所定処理を実行する機能などに相当し、作業者の入力操作に対応して複数の撮像オーダデータから一つを選定する。【００５０】
統合制御部１０３は、例えば、ＣＰＵが通信Ｉ／Ｆ（Ｉｎｔｅｒｆａｃｅ）により各種データを送受信する機能などに相当し、上述の選定されている一つの撮像オーダデータをＣＴスキャナ２００や制御ボックス５００から受信する取得要求に対応して返信する。【００５１】
本実施の形態のＣＴスキャナ２００は、図３に示すように、撮像実行機構である透視撮像ユニット２０１と撮像制御ユニット２１０とを有する。透視撮像ユニット２０１は、被験者から透視画像データを撮像する。撮像制御ユニット２１０は、透視撮像ユニット２０１を動作制御する。【００５２】
より詳細には、撮像制御ユニット２１０は、専用のコンピュータプログラムが実装されているコンピュータ装置からなる。このコンピュータ装置がコンピュータプログラムに対応して各種処理を実行することにより、撮像制御ユニット２１０には、要求送信部２１１、オーダ受信部２１２、撮像制御部２１３、データ付与部２１４、画像送信部２１５、等の各部が各種機能として論理的に実現されている。【００５３】
要求送信部２１１は、キーボードなどの入力操作に対応してＣＰＵが通信Ｉ／Ｆにより各種データを送受信する機能などに相当し、作業者の入力操作に対応してＲＩＳ１００に撮像オーダデータの取得要求を送信する。オーダ受信部２１２は、ＲＩＳ１００から返信される撮像オーダデータを受信する。【００５４】
撮像制御部２１３は、受信した撮像オーダデータに対応して透視撮像ユニット２０１を動作制御する。データ付与部２１４は、透視撮像ユニット２０１で撮像された透視画像データに撮像オーダデータを付与する。【００５５】
画像送信部２１５は、撮像オーダデータが付与された透視画像データをＰＡＣＳ３００に送信する。なお、上述のように生成される透視画像データは、例えば、断層画像のビットマップデータからなる。【００５６】
本実施の形態のＰＡＣＳ３００は、やはり専用のコンピュータプログラムが実装されているデータベースサーバからなる。ＰＡＣＳ３００は、ＣＴスキャナ２００から撮像オーダデータが付与された透視画像データを受信して保存する。【００５７】
本実施の形態の薬液注入装置４００は、図５に示すように、注入制御ユニット４０１と注入実行ヘッド４１０とを有する。注入制御ユニット４０１が注入実行ヘッド４１０を動作制御する。注入実行ヘッド４１０は、図６に示すように、着脱自在に装着される薬液シリンジ８００を駆動して薬液を被験者に注入する。【００５８】
より詳細には、注入制御ユニット４０１は、図３に示すように、メイン操作部４０２、タッチパネル４０３、コントローラユニット４０４、コンピュータユニット４０５、通信Ｉ／Ｆ４０６、等を有する。【００５９】
注入実行ヘッド４１０は、薬液シリンジ８００を保持するシリンジ保持機構４１１、薬液シリンジ８００を駆動する注入実行機構であるシリンジ駆動機構４１２、シリンジ駆動機構４１２の動作指示などが入力操作されるサブ操作部４１３、各種データを表示出力するデータ表示デバイスであるヘッドディスプレイ４１５、等を有する。【００６０】
サブ操作部４１３は、後述する最終確認スイッチ４１４を有する。ヘッドディスプレイ４１５は、注入実行ヘッド４１０の後方側部に直接に固定されており、シリンジ保持機構４１１とシリンジ駆動機構４１２との近傍に配置されている。【００６１】
なお、本実施の形態の薬液シリンジ８００としては複数種類があり、その一部には所定位置にＲＦＩＤチップ８１０が搭載されている。注入実行ヘッド４１０は、シリンジ保持機構４１１で薬液シリンジ８００が適正に保持されたときのみＲＦＩＤチップ８１０と無線通信する位置にＲＦＩＤリーダ４１６が搭載されている。【００６２】
薬液シリンジ８００のＲＦＩＤチップ８１０には、少なくとも薬液に関連する薬液条件データが登録されている。より詳細には、薬液シリンジ８００は、薬液が充填された状態で出荷される、いわゆるプレフィルドタイプであり、ＲＦＩＤチップ８１０には、出荷される以前に薬液条件データが登録される。【００６３】
この薬液条件データは、例えば、充填されている薬液に関連する、製品名称、製品ＩＤ、化学分類、含有成分、粘度、消費期限、などの各種データと、その薬液シリンジ８００に関連する、容量、耐圧、シリンダ内径、ピストンストローク、ロット番号、などの各種データからなる。【００６４】
薬液の製品ＩＤは、その薬液の化学分類と含有成分と化学構造とに起因して登録されており、シリンジ容量などには関連していない。例えば、ＣＴ用で心臓用の造影剤としてＡ社とＢ社との製品が存在している場合、薬液の種別である「ＣＴ用で心臓用の造影剤」は共通でも、水溶性か油性か、イオン性か非イオン性か、モノマー型かダイマー型か、などの化学分類が相違するならば、その製品ＩＤは相違する。【００６５】
さらに、その薬液種別と化学分類とが共通でも、含有成分が相違するならば製品ＩＤは相違し、薬液種別と化学分類と含有成分とが共通でも、例えば、一つでも含有成分の化学構造が相違するならば製品ＩＤは相違する。【００６６】
一方、プレフィルドタイプで容量が「２００（ｍｌ）」と「５００（ｍｌ）」との薬液シリンジに同一の薬液が充填されているならば、その薬液シリンジは容量により製品としては別個であるが薬液の製品ＩＤは同一である。【００６７】
薬液注入装置４００のコンピュータユニット４０５には、上述の各部が接続されている。コンピュータユニット４０５は、接続されている各部を実装されているコンピュータプログラムに対応して統合制御する。【００６８】
このため、薬液注入装置４００には、図１に示すように、被験者ＩＤを取得するデータ入力部４２１、シリンジ駆動機構４１２を注入制御データに対応して動作制御する注入制御部４２２、動作制御に利用された注入制御データを透視画像データに関連させて制御ボックス５００を経由してＰＡＣＳ３００に登録するデータ登録部４２４、取得された被験者ＩＤに対応する注入制御データをＰＡＣＳ３００から制御ボックス５００を経由して取得するデータ取得部４２６、取得された注入制御データを注入制御部４２２に設定する制御設定部４２７、等の各部が各種機能として論理的に実現されている。【００６９】
より詳細には、上述のような薬液注入装置４００の各部４２１，４２４，４２６は、上述のコンピュータプログラムに対応してコンピュータユニット４０５が通信Ｉ／Ｆ４０６によりＲＩＳ１００やＰＡＣＳ３００とデータ通信する機能などに相当し、その他の各部４２２，４２３，４２７は、コンピュータユニット４０５が所定のデータ処理を実行する機能などに相当する。【００７０】
データ入力部４２１は、被験者ＩＤの取得要求の入力操作を受け付け、入力操作された取得要求を制御ボックス５００に送信する。そこで、この制御ボックス５００を介してＲＩＳ１００から撮像オーダデータの一部を取得することにより、この撮像オーダデータの一部として被験者ＩＤを取得する。【００７１】
また、データ入力部４２１は、薬液の注入条件に関連した所定の注入条件データも入力され、データ登録部４２４は、注入制御データを被験者ＩＤと注入条件データとともに登録する。【００７２】
そこで、データ取得部４２６は、入力された被験者ＩＤと注入条件データとに対応する注入制御データを取得する。このような注入条件データは、例えば、前述した身体区分や撮像部位からなり、この注入条件データも撮像オーダデータの一部として被験者ＩＤとともにＲＩＳ１００から取得される。【００７３】
より具体的には、図８に示すように、注入制御ユニット４０１のタッチパネル４０３には、例えば、注入制御データの入力操作の初期画面の左上に、人体の正面画像と「ｉ」との模式図からなる取得要求の操作アイコンが表示出力される。【００７４】
そこで、この取得要求の操作アイコンが入力操作されると、制御ボックス５００を経由して撮像オーダデータの一部が注入条件データとして取得される。そして、この注入条件データから、被験者ＩＤ、撮像部位、等が注入制御データの少なくとも一部として注入制御部４２２に設定される。【００７５】
このような注入制御データは、例えば、シリンジ駆動機構４１２の作動ストロークや作動圧力が経過時間ごとに所定コマンドなどで設定された、プロトコルデータなどからなる。【００７６】
また、薬液注入装置４００は、被験者ＩＤに対応して取得された複数の注入制御データから所定条件に対応して一つを選択する条件選択部（図示せず）を、さらに有する。このため、制御設定部４２７は、選択された注入制御データを注入制御部４２２に設定する。その場合、条件選択部は、取得された複数の注入制御データから最新の一つを選択する。【００７７】
また、薬液注入装置４００は、注入制御データに対応したシリンジ駆動機構４１２の動作履歴からなる注入履歴データを生成する履歴生成部４２３を、さらに有し、データ登録部４２４は、注入履歴データも注入制御データとともにＰＡＣＳ３００に登録する。【００７８】
このような注入履歴データは、例えば、横軸と縦軸との一方が経過時間で他方が注入速度の経時グラフの画像データからなり、注入制御データや被験者ＩＤや注入作業ＩＤ等がテキストデータで付与される。【００７９】
なお、上述の各部４２１〜４２７等は、上述のように注入制御データを自動設定する場合に利用される。しかし、本実施の形態の薬液注入装置４００は、手動操作により注入制御データの新規設定および設定編集も実行することができる。【００８０】
このため、薬液注入装置４００は、図７に示すように、条件記憶部４４１、画像記憶部４４２、区分表示部４４５、区分入力部４４６、部位表示部４４７、部位入力部４４８、動作読出部４４９、身体入力部４５１、等の各部も各種機能として論理的に実現されている。【００８１】
薬液注入装置４００の画像記憶部４４２は、人体の複数の身体区分と多数の撮像部位との模式画像を関連させて記憶している。区分表示部４４５は、画像記憶部４４２が記憶している複数の身体区分の模式画像を人体に対応した配列で表示する。【００８２】
区分入力部４４６は、区分表示部４４５で画像表示出力された複数の身体区分から一つを選択する入力操作を、一つの注入制御データの入力操作として受け付ける。部位表示部４４７は、区分入力部４４６で選択された身体区分に対応して少なくとも一つの撮像部位の模式画像を表示出力する。部位入力部４４８は、部位表示部４４７で画像表示出力された撮像部位を選定する入力操作を、一つの注入制御データの入力操作として受け付ける。【００８３】
より具体的には、薬液注入装置４００では、複数の身体区分として「頭部，胸部，腹部，脚部」が規定されており、これらの各々に対応した模式画像がコンピュータユニット４０５に登録されている。【００８４】
そこで、薬液注入装置４００に所定操作を実行すると、図８に示すように、「頭部，胸部，腹部，脚部」の模式画像が人体形状に対応してタッチパネル４０３の画面上部に表示出力される。【００８５】
また、上述の身体区分である「頭部」の模式画像には、複数の撮像部位として「脳部，顎部，首部」等の模式画像が関連されて登録されている。同様に、「胸部」の模式画像には「心臓部，肺部」、「腹部」の模式画像には「胃部，肝臓部，…」、「脚部」の模式画像には「上部，下部」、などの模式画像が関連されて登録されている。【００８６】
そこで、タッチパネル４０３に人体形状で表示出力された複数の身体範囲の模式画像の一つが手動操作されると、その一つの模式画像のみ上方にスキャナ機構の模式画像が表示出力され、手動操作された一つの模式画像のみが明転するとともに他の模式画像は暗転する（図示せず）。【００８７】
同時に、その下部には関連する複数の撮像部位の模式画像が表示出力される。そこで、その表示出力された複数の撮像部位の模式画像の一つが手動操作されると、図９に示すように、その一つの模式画像のみが明転するとともに他の模式画像は暗転する。【００８８】
条件記憶部４４１は、人体の多数の撮像部位ごとにシリンジ駆動機構４１２の動作条件データを記憶している。この動作条件データは、例えば、人体の撮像部位ごとの造影剤の注入総量などとして設定されている。【００８９】
動作読出部４４９は、部位入力部４４８で選定された撮像部位に対応する動作条件データを条件記憶部４４１から読み出し、注入制御データの一部として注入制御部４２２に設定する。【００９０】
身体入力部４５１は、透視画像データの撮像に関連する人体の身体事項として体重の入力操作を受け付け、その体重を注入制御データの一部として注入制御部４２２に設定する。【００９１】
より具体的には、前述のように撮像部位が模式画像の手動操作により選定された状態で、「条件」なる操作アイコンが手動操作されると、体重や注入容量や注入時間などを入力操作できる状態となる。そこで、このような状態で体重の数値などが入力操作される。すると、図１０に示すように、これらが注入制御データの一部として表示出力されるとともに設定される。【００９２】
本実施の形態の制御ボックス５００は、図３に示すように、やはり専用のコンピュータプログラムが実装されているコンピュータユニット５０１、通信Ｉ／Ｆ５０２、等を有する。【００９３】
制御ボックス５００も、コンピュータユニット５０１がコンピュータプログラムに対応して各種処理を実行する。このため、制御ボックス５００には、図２に示すように、取得仲介部５１１、履歴転送部５１４、等の各部が各種機能として論理的に実現されている。【００９４】
取得仲介部５１１は、薬液注入装置４００から受信した取得要求に対応して、撮像オーダデータをＲＩＳ１００から取得し、取得された撮像オーダデータの一部を注入制御データの一部として薬液注入装置４００に返信する。履歴転送部５１４は、注入履歴データを薬液注入装置４００から受信してＰＡＣＳ３００に転送する。【００９５】
このため、本実施の形態のＰＡＣＳ３００は、前述のようにＣＴスキャナ２００から受信する透視画像データを保存するだけではなく、上述のように制御ボックス５００から受信する注入履歴データも保存する。【００９６】
そして、前述のように透視画像データには撮像オーダデータが付与されており、この撮像オーダデータの撮像作業ＩＤが注入履歴データに付与されている。このため、撮像オーダデータと注入履歴データとは撮像作業ＩＤにより関連付けられた状態でＰＡＣＳ３００に保存される。【００９７】
本実施の形態の画像閲覧装置６００も、専用のコンピュータプログラムが実装されているコンピュータ装置からなる。画像閲覧装置６００は、図３に示すように、コンピュータユニット６０１、ディスプレイユニット６０２、コントローラユニット６０３、通信Ｉ／Ｆ６０４、等を有する。【００９８】
画像閲覧装置６００は、コンピュータユニット６０１がコンピュータプログラムに対応して各種処理を実行することにより、図２に示すように、データ読出部６１１、データ表示部６１２、を有する。【００９９】
データ読出部６１１は、例えば、コンピュータユニット６０１がコンピュータプログラムとコントローラユニット６０３への入力データとに対応して通信Ｉ／Ｆ６０４からＰＡＣＳ３００にアクセスする機能などに相当し、撮像作業ＩＤで関連付けられている透視画像データと注入履歴データとをＰＡＣＳ３００から読み出す。【０１００】
データ表示部６１２は、コンピュータユニット６０１が通信Ｉ／Ｆ６０４の受信データをディスプレイユニット６０２に表示させる機能などに相当し、読み出された透視画像データと注入履歴データとを表示する。【０１０１】
なお、上述のようなＲＩＳ１００のコンピュータプログラムは、例えば、撮像作業ＩＤや被験者ＩＤや注入条件データが設定されている撮像オーダデータを記憶すること、作業者の入力操作に対応して複数の撮像オーダデータから一つを選定すること、選定されている一つの撮像オーダデータをＣＴスキャナ２００や制御ボックス５００から受信する取得要求に対応して返信すること、等をＲＩＳ１００に実行させるためのソフトウェアとして記述されている。【０１０２】
また、ＣＴスキャナ２００のコンピュータプログラムは、例えば、作業者の入力操作に対応してＲＩＳ１００に撮像オーダデータの取得要求を送信すること、ＲＩＳ１００から返信される撮像オーダデータを受信すること、受信した撮像オーダデータに対応して透視撮像ユニット２０１を動作制御すること、透視撮像ユニット２０１で撮像された透視画像データに撮像オーダデータを付与すること、撮像オーダデータが付与された透視画像データをＰＡＣＳ３００に送信すること、等を撮像制御ユニット２１０に実行させるためのソフトウェアとして記述されている。【０１０３】
また、薬液注入装置４００のコンピュータプログラムは、例えば、シリンジ駆動機構４１２を注入制御データに対応して動作制御すること、動作制御に対応して注入履歴データを生成すること、生成された注入履歴データと動作制御に利用された注入制御データとを透視画像データに関連させてＰＡＣＳ３００に登録すること、ＲＩＳ１００から撮像オーダデータの一部として被験者ＩＤを取得すること、取得された被験者ＩＤに対応する注入制御データをＰＡＣＳ３００から取得すること、取得された注入制御データを注入制御部４２２に設定すること、等をコンピュータユニット４０５に実行させるためのソフトウェアとして記述されている。【０１０４】
また、制御ボックス５００のコンピュータプログラムは、例えば、薬液注入装置４００の取得要求に対応してＲＩＳ１００から撮像オーダデータを取得すること、取得された撮像オーダデータの被験者ＩＤ等を薬液注入装置４００に返信すること、薬液注入装置４００から注入制御データと注入履歴データとを受信すること、受信された注入制御データと注入履歴データとをＰＡＣＳ３００に出力すること、等をコンピュータユニット５０１に実行させるためのソフトウェアとして記述されている。【０１０５】
また、ＰＡＣＳ３００のコンピュータプログラムは、例えば、撮像オーダデータが付与された透視画像データをＣＴスキャナ２００から受信して保存すること、撮像オーダデータの撮像作業ＩＤが付与された注入制御データと注入履歴データとを制御ボックス５００から受信して保存すること、等をＰＡＣＳ３００に実行させるためのソフトウェアとして記述されている。【０１０６】
そして、画像閲覧装置６００のコンピュータプログラムは、例えば、撮像作業ＩＤで関連付けられている透視画像データと注入制御データと注入履歴データとをＰＡＣＳ３００から読み出すこと、読み出された透視画像データと注入制御データと注入履歴データとを表示すること、等をコンピュータユニット６０１に実行させるためのソフトウェアとして記述されている。【０１０７】
上述のような構成において、本実施の形態の透視撮像システム１０００を使用して被験者から透視画像データを撮像する方法を以下に順番に説明する。まず、作業者は事前にＲＩＳ１００に撮像オーダデータを登録しておく。【０１０８】
この撮像オーダデータは、例えば、撮像作業ＩＤ、ＣＴスキャナ２００の識別情報、撮像開始および終了の日時、撮像部位、等のテキストデータからなる。この撮像オーダデータは、通常は被験者ごとの電子カルテに基づいて作成される。【０１０９】
このため、撮像オーダデータには、被験者ＩＤや氏名や体重なども登録される。さらに、本実施の形態では、造影剤の注入に利用される注入針の種別およびサイズ、等も登録される。【０１１０】
ただし、撮像オーダデータは、ＣＴスキャナ２００での撮像作業に必要な各種データからなる。このため、薬液注入装置４００の注入作業を特定できるデータは内包されていない。【０１１１】
このような撮像オーダデータがＲＩＳ１００に登録された状態で、撮像作業が実行されるときには、作業者がＲＩＳ１００を手動操作することにより、その撮像作業に対応した一つの撮像オーダデータが選定される。【０１１２】
一方、撮像作業の現場では、図４に示すように、ＣＴスキャナ２００の透視撮像ユニット２０１の近傍に薬液注入装置４００が配置される。そして、透視撮像ユニット２０１に位置する被験者（図示せず）に延長チューブで薬液シリンジ８００が連結され、この薬液シリンジ８００が薬液注入装置４００の注入実行ヘッド４１０に装填される。【０１１３】
つぎに、図２０に示すように、作業者が注入制御ユニット４０１のメイン操作部４０２の入力操作などで薬液注入装置４００を起動させると（ステップＳ１）、図８に示すように、タッチパネル４０３に複数の身体区分の模式画像が人体形状に対応して表示出力される（ステップＳ２）。【０１１４】
本実施の形態の薬液注入装置４００では、注入制御データが設定されていない初期状態では、注入制御データによるシリンジ駆動機構４１２の動作制御は禁止されている。そして、薬液注入装置４００は、上述のように初期画面が表示出力された状態で、注入制御データの全部を手動設定することもでき、その一部を撮像オーダデータから自動設定することもできる。【０１１５】
手動設定する場合、タッチパネル４０３に表示出力された複数の身体区分の模式画像の一つを作業者が手指で押圧する。すると、その選択された身体区分の模式画像のみ明転するとともに他の模式画像は暗転し、その選択された身体区分の模式画像の上方にスキャナ機構の模式画像が表示出力される。【０１１６】
同時に、その下部には選択された身体区分に関連する複数の撮像部位の模式画像が読み出されて選択画面に表示出力される。そこで、その一つを作業者が手指などで入力操作すると、図９に示すように、その選択された一つの模式画像のみが明転するとともに他の模式画像は暗転する。【０１１７】
上述のように撮像部位が選択されると、薬液注入装置４００では、その撮像部位に対応した動作条件データが読み出されて注入制御データとして設定される。さらに、図１０に示すように、被験者の体重、注入速度、注入総量、注入時間、等が注入制御データとして作業者によりメイン操作部４０２に入力操作される（ステップＳ４）。【０１１８】
このとき、本実施の形態の薬液注入装置４００では、ＲＦＩＤリーダ４１６により薬液シリンジ８００にＲＦＩＤチップ８１０が搭載されているかも確認される（ステップＳ５）。【０１１９】
そこで、薬液シリンジ８００にＲＦＩＤチップ８１０が搭載されていた場合は、ＲＦＩＤリーダ４１６により薬液条件データが取得される（ステップＳ６）。この薬液条件データは、前述のように、充填されている薬液に関連する製品名称や消費期限などの各種データと、その薬液シリンジ８００に関連する容量やロット番号などの各種データからなる。【０１２０】
そこで、このように取得された薬液条件データの一部が、図１５に示すように、注入制御ユニット４０１のタッチパネル４０３と注入実行ヘッド４１０のヘッドディスプレイ４１５とに表示出力される（ステップＳ７）。【０１２１】
このとき、タッチパネル４０３およびヘッドディスプレイ４１５には、表示出力されている薬液条件データが薬液シリンジ８００にＲＦＩＤチップ８１０から取得されたことが、「ＲＦＩＤ」なる所定のロゴマークにより表示出力される。【０１２２】
従って、作業者は上述のように表示処理される薬液条件データを確認して注入制御データを入力操作する。このように注入制御データの設定が完了すると（ステップＳ９，Ｓ１０）、注入開始を入力操作できる状態となる。【０１２３】
そこで、この注入開始がタッチパネル４０３などで入力操作されると（ステップＳ１１）、設定された注入制御データに対応してシリンジ駆動機構４１２が動作制御されるので、これで被験者に造影剤と生理食塩水とが適切に注入される。【０１２４】
なお、本実施の形態の透視撮像システム１０００では、上述のように注入制御データを薬液注入装置４００に手動操作で設定することの他、自動設定することもできる。より具体的には、本実施の形態の薬液注入装置４００では、図８に示すように、注入作業の初期画面の左上に取得要求の操作アイコンも表示出力される。【０１２５】
そこで、この取得要求の操作アイコンが手動操作されると（ステップＳ３）、図２２に示すように、取得要求が制御ボックス５００に送信される。この制御ボックス５００は、薬液注入装置４００から受信した取得要求をＲＩＳ１００に転送する。【０１２６】
すると、このＲＩＳ１００は、前述のように選定されている一つの撮像オーダデータを制御ボックス５００に返信する。この制御ボックス５００は、ＲＩＳ１００から撮像オーダデータを受信すると、その撮像オーダデータの一部を注入条件データの少なくとも一部として薬液注入装置４００に返信する。【０１２７】
より具体的には、撮像オーダデータは、前述のように、撮像作業ＩＤ、ＣＴスキャナ２００の識別情報、撮像開始および終了の日時、被験者ＩＤと氏名と体重、身体区分または撮像部位、注入針の種別とサイズ、等からなる。【０１２８】
そこで、制御ボックス５００は、取得した撮像オーダデータから、撮像作業ＩＤ、被験者ＩＤと氏名と体重、身体区分または撮像部位、注入針の種別とサイズ、等を抽出し、これを注入条件データとして薬液注入装置４００に返信する。【０１２９】
上述のような通信中には、図１１に示すように、薬液注入装置４００では通信中を示すガイダンスデータがタッチパネル４０３およびヘッドディスプレイ４１５に表示出力される。このため、利用者は薬液注入装置４００が通信中であることをリアルタイムに確認できる。【０１３０】
さらに、通信エラーなどのために注入条件データが取得できないと、図１２に示すように、データ取得の失敗を示すガイダンスデータがタッチパネル４０３およびヘッドディスプレイ４１５に表示出力される。このため、利用者はデータ取得の失敗を迅速に認識して再試行などを実行することができる。【０１３１】
薬液注入装置４００では、取得要求に対応して制御ボックス５００から取得された注入条件データが（ステップＳ１２）、図１３および図１４に示すように、タッチパネル４０３およびヘッドディスプレイ４１５に表示出力される（ステップＳ１３）。【０１３２】
このとき、被験者の氏名や性別なども注入条件データとして表示出力されるので、これで作業者は注入条件データと実際の被験者との整合を確認する。また、タッチパネル４０３およびヘッドディスプレイ４１５には、上述のように表示出力される注入条件データとともに、この注入条件データを注入制御データの取得条件として使用するか使用しないかの設定指示の操作アイコンも表示出力される。【０１３３】
そこで、作業者が確認した注入条件データにより注入制御データを取得する場合には、「使用する」の操作アイコンを入力操作する。すると、これを検知した薬液注入装置４００では、その注入制御データに設定されている被験者ＩＤと身体区分または撮像部位が、注入制御データの取得条件として設定される。【０１３４】
このとき、やはり前述のように薬液シリンジ８００にＲＦＩＤチップ８１０が搭載されているかも確認され（ステップＳ１５）、図１５に示すように、搭載されていた場合は薬液条件データが取得されて表示出力される（ステップＳ１６，Ｓ１７）。【０１３５】
そして、本実施の形態の薬液注入装置４００では、上述のような状態で注入制御データの取得が注入制御ユニット４０１などで入力操作されると（ステップＳ１８）、図２２に示すように、前述のように撮像オーダデータから注入条件データとして取得された被験者ＩＤと身体区分または撮像部位が、注入制御データの取得要求とともに制御ボックス５００に送信される（ステップＳ１９）。【０１３６】
すると、この制御ボックス５００は、その注入制御データの取得要求とともに、被験者ＩＤと身体区分または撮像部位をＰＡＣＳ３００に転送する。このＰＡＣＳ３００は、詳細には後述するが、過去の透視撮像作業ごとに、透視画像データ、注入履歴データ、注入制御データ、が被験者ＩＤや身体区分などとともに蓄積されている。【０１３７】
そこで、ＰＡＣＳ３００は、上述のように注入制御データの取得要求を受信すると、ともに受信された被験者ＩＤと身体区分または撮像部位に整合する注入制御データを検索する。【０１３８】
これで注入制御データが検索されると、ＰＡＣＳ３００は、その注入制御データを制御ボックス５００に返信するので、この制御ボックス５００は、その注入制御データを薬液注入装置４００に転送する。【０１３９】
このように注入制御データを受信した薬液注入装置４００は（ステップＳ２１）、図２１に示すように、その受信した注入制御データを新規の注入制御データとして設定する（ステップＳ２３）。【０１４０】
このとき、図１６に示すように、注入制御データである注入速度や注入総量などが、注入条件データである患者名などとともにタッチパネル４０３およびヘッドディスプレイ４１５に表示出力される。そこで、表示出力された注入制御データを確認した作業者は、必要により手動操作で注入制御データを編集することもできる（ステップＳ２４，Ｓ２５）。【０１４１】
なお、前述のように薬液注入装置４００からＰＡＣＳ３００まで被験者ＩＤや撮像部位などが送信されても（ステップＳ１９）、その被験者が過去に同一の身体区分や撮像部位で透視画像を撮像していない場合、当然ながら、ＰＡＣＳ３００で被験者ＩＤや撮像部位に整合する注入制御データが検索されることはない。【０１４２】
その場合、ＰＡＣＳ３００により「データなし」が制御ボックス５００に返信されるので、この制御ボックス５００から薬液注入装置４００まで、その「データなし」が転送される。【０１４３】
そこで、この「データなし」を受信した薬液注入装置４００では（ステップＳ２０）、「この患者の該当する制御データは登録されていません、手動操作で設定してください」等のガイダンステキストが表示出力される（ステップＳ２２）。この場合、ガイダンステキストを確認した作業者は、手動操作により注入制御データを設定することになる（ステップＳ２４，Ｓ２５）。【０１４４】
本実施の形態の薬液注入装置４００は、上述のようにＰＡＣＳ３００からのデータ受信や手動操作により注入制御データの設定が完了しても（ステップＳ２６）、薬液注入を開始できる状態とならない。【０１４５】
そこで、作業者は、上述のように注入制御データの設定が完了すると（ステップＳ２６）、薬液注入を開始する直前に注入実行ヘッド４１０の最終確認スイッチ４１４を入力操作する。【０１４６】
すると、これを検知した薬液注入装置４００は（ステップＳ２７）、最初のときと同様に制御ボックス５００にＲＩＳ１００から撮像オーダデータを再度取得させ、その一部を注入条件データとして制御ボックス５００から再度取得する（ステップＳ２８）。そして、注入制御データに設定されている被験者ＩＤと、再度取得された注入条件データの被験者ＩＤと、が比較される（ステップＳ２９）。【０１４７】
これで被験者ＩＤが一致しないと、例えば、図１７に示すように、「前回取得した、患者情報と異なっています」などの確認警告のエラーガイダンスとともに（ステップＳ３０）、第二回目の注入条件データがタッチパネル４０３およびヘッドディスプレイ４１５に表示出力される（図示せず）。【０１４８】
この場合、例えば、確認完了がタッチパネル４０３およびヘッドディスプレイ４１５に入力操作されると初期状態に復帰する（ステップＳ３）。このため、撮像オーダデータが変更されている状態で注入動作が開始されることがない。【０１４９】
一方、注入制御データに設定されている被験者ＩＤと、再度取得された被験者ＩＤとの一致が確認されると（ステップＳ２９）、タッチパネル４０３およびヘッドディスプレイ４１５により注入開始を入力操作できる状態となる。【０１５０】
そこで、この状態で注入開始が入力操作されると（ステップＳ３１）、設定された注入制御データに対応してシリンジ駆動機構４１２が動作制御されるので、これで被験者に造影剤と生理食塩水とが適切に注入される（ステップＳ３２）。【０１５１】
このとき、リアルタイムに経過時間が計測されるとともに、実際の注入速度も検出されるので、その注入速度が注入制御データに適合するようにシリンジ駆動機構４１２の動作がフィードバック制御される。【０１５２】
さらに、実際の注入速度からなる経時グラフがリアルタイムに生成され（ステップＳ３３）、例えば、注入制御データとともにタッチパネル４０３およびヘッドディスプレイ４１５に表示出力される（ステップＳ３４）。【０１５３】
前述のように、注入条件データが取得されることなく注入制御データが手動設定された場合は、図１８に示すように、計時グラフは手動設定された注入制御データとともに表示出力される。【０１５４】
一方、注入条件データが取得されて注入制御データが自動設定された場合は、図１９に示すように、計時グラフは自動設定された注入制御データおよび注入条件データなどとともに表示出力される。さらに、この場合は、注入条件データから取得された撮像開始時刻も、計時グラフに所定のシンボルマークで表示出力される。【０１５５】
そして、注入作業が完了すると（ステップＳ３５）、実際の注入速度の経時グラフを内包する注入履歴データが生成される（ステップＳ３６）。このように生成される注入履歴データは、注入条件データが取得されることなく注入制御データが手動設定された場合は、計時グラフの画像データと手動設定された注入制御データのテキストデータからなる。【０１５６】
注入条件データが取得されて注入制御データが自動設定された場合は、注入履歴データは、経時グラフの画像データと、注入制御データおよび注入条件データのテキストデータからなる。【０１５７】
このテキストデータは、例えば、注入作業ＩＤや被験者ＩＤ等からなる注入条件データ、その注入条件データがＲＩＳ１００から取得されたか手動入力されたかの識別情報、実際の注入開始および終了の日時、薬液注入装置４００の識別情報、注入制御データ、その注入制御データがＰＡＣＳ３００から取得されたか手動入力されたかの識別情報、等からなる。【０１５８】
また、薬液注入装置４００は、注入作業が完了すると、少なくとも注入作業ＩＤが付与されていて完了を通知する完了通知データも生成する（ステップＳ３７）。そこで、注入作業を完了した薬液注入装置４００は、完了通知データと注入履歴データと注入制御データとを制御ボックス５００に送信する（ステップＳ３８）。このとき、薬液注入装置４００は、注入制御データに、少なくとも被験者ＩＤと身体区分または撮像部位も付与する。【０１５９】
上述のように薬液注入装置４００から完了通知データと注入履歴データと注入制御データとを受信した制御ボックス５００は、その完了通知データのみをＲＩＳ１００に転送する。このＲＩＳ１００は、受信した完了通知データを注入作業ＩＤにより撮像オーダデータに関連させた状態で保存する。【０１６０】
また、上述のように薬液注入装置４００から完了通知データと注入履歴データと注入制御データとを受信した制御ボックス５００は、その完了通知データの撮像作業ＩＤと注入履歴データと注入制御データとをＰＡＣＳ３００に転送する。【０１６１】
このＰＡＣＳ３００は、受信した注入履歴データと注入制御データとを撮像作業ＩＤで管理する状態で保存する。このように保存される注入制御データには、上述のように被験者ＩＤと身体区分または撮像部位も付与されている。【０１６２】
通常の作業では、上述のように薬液注入装置４００による注入作業が完了する前後に、ＣＴスキャナ２００による撮像作業が開始される。その場合、作業者によりＣＴスキャナ２００の撮像制御ユニット２１０に撮像開始が入力操作される。【０１６３】
すると、ＣＴスキャナ２００の撮像制御ユニット２１０は、ＲＩＳ１００に撮像オーダデータの取得要求を送信する。すると、このＲＩＳ１００は、前述のように選定されている一つの撮像オーダデータがＣＴスキャナ２００に返信される。【０１６４】
そこで、このＣＴスキャナ２００では、撮像制御ユニット２１０が受信した撮像オーダデータに対応して透視撮像ユニット２０１が動作制御されることにより、透視画像データの撮像作業が実行される。【０１６５】
これで透視撮像ユニット２０１により被験者から透視画像データが撮像されると、撮像制御ユニット２１０では、透視画像データに撮像オーダデータが付与される。つぎに、撮像制御ユニット２１０では、撮像オーダデータが付与された透視画像データがＰＡＣＳ３００に送信される。【０１６６】
このＰＡＣＳ３００は、受信した透視画像データを撮像オーダデータの撮像作業ＩＤで管理する状態で保存する。そして、作業者が透視画像データを閲覧するときは、例えば、画像閲覧装置６００の手動操作によりＰＡＣＳ３００から透視画像データを読み出す。【０１６７】
その場合、例えば、撮像作業ＩＤが検索キーとして入力操作されることにより、その撮像作業ＩＤの透視画像データがＰＡＣＳ３００から読み出されて画像閲覧装置６００のディスプレイユニット６０２に表示出力される。【０１６８】
このとき、その撮像作業ＩＤにより注入履歴データもＰＡＣＳ３００から読み出されるので、必要により画像閲覧装置６００のディスプレイユニット６０２に表示出力される。【０１６９】
このように表示出力される注入履歴データにより、その注入作業の注入制御データの全部が手動入力されたか一部が撮像オーダデータから取得されたか一部が薬液条件データから取得されたか、撮像オーダデータから取得された場合は最初と確認との日時、取得された注入条件データや薬液条件データ、も確認される。【０１７０】
本実施の形態の透視撮像システム１０００では、薬液注入装置４００に被験者ＩＤと注入制御データとが入力されて薬液の注入が実行されると、その注入制御データが被験者ＩＤとともにＰＡＣＳ３００に登録される。【０１７１】
そこで、同一の被験者で第二回目以後の薬液注入作業が実行されるときには、入力される被験者ＩＤによりＰＡＣＳ３００に登録されている注入制御データが取得され、これが注入制御データとして薬液注入装置４００に設定される。【０１７２】
このため、同一の被験者に対して同一の注入制御データを入力操作する必要がなく、その設定の作業負担を軽減することができる。しかも、被験者ごとの注入制御データが被験者ＩＤにより登録されて取得されるので、被験者に不適な注入制御データが誤設定されて薬液が注入されることを自動的に防止できる。【０１７３】
特に、注入制御データは薬液注入装置４００に入力された被験者ＩＤおよび身体区分または撮像部位とともにＰＡＣＳ３００に保存され、薬液注入装置４００に入力される被験者ＩＤおよび身体区分または撮像部位によりＰＡＣＳ３００で検索される。【０１７４】
このため、被験者が同一でも身体区分または撮像部位が相違すれば注入制御データは取得されないので、被験者が同一でも身体区分または撮像部位が相違する不適な注入制御データが注入作業に利用されることがない。【０１７５】
さらに、本実施の形態の薬液注入装置４００は、被験者ＩＤに対応してＰＡＣＳ３００から複数の注入制御データが取得された場合は、取得された複数の注入制御データから最新の一つを自動的に選択する。【０１７６】
このため、同一の被験者が同一の身体区分や撮像部位で何度も透視画像を撮像している場合でも、一つの注入制御データが薬液注入装置４００で自動的に選択される。特に、最新の注入制御データが選択されるので、被験者の病状が進行しているような場合でも、最適な注入制御データを自動的に設定することができる。【０１７７】
しかも、本実施の形態の薬液注入装置４００では、入力操作に対応して注入制御データの新規設定および設定編集も実行することができる。このため、ＰＡＣＳ３００から取得された注入制御データが適正でない場合には、その注入制御データを手動操作で変更することも、注入制御データの全部を手動操作で入力することもできる。【０１７８】
特に、病状の進行により被験者の体重が変化しているような場合には、その体重に対応して注入制御データを修正することがよい。その場合でも、前回の注入制御データを利用できるので、やはり注入制御データの入力が容易である。【０１７９】
しかも、本実施の形態の透視撮像システム１０００は、被験者ＩＤが設定されている撮像オーダデータをＲＩＳ１００が記憶し、その撮像オーダデータに対応してＣＴスキャナ２００が被験者から透視画像データを撮像する。【０１８０】
そして、薬液注入装置４００は、ＲＩＳ１００から撮像オーダデータの一部として被験者ＩＤを取得する。このため、注入制御データを取得するために必要な被験者ＩＤおよび身体区分または撮像部位も薬液注入装置４００に自動的に入力することができる。従って、作業者が被験者ＩＤなどを入力操作する作業負担も軽減することができ、その誤入力も防止することができる。【０１８１】
それでいて、撮像オーダデータはＣＴスキャナ２００のために従来から既存かつ必須である。このため、新規なデータ作成などを必要とすることなく、被験者ＩＤなどを薬液注入装置４００に自動入力することができる。【０１８２】
さらに、本実施の形態の薬液注入装置４００は、注入直前の最終確認が入力操作されるとＲＩＳ１００から被験者ＩＤを再度取得し、事前取得された被験者ＩＤと再度取得された被験者ＩＤとの一致を確認する。【０１８３】
その一致が確認されるまで注入制御データによる薬液注入を実行しないので、適正でない注入制御データで注入動作が実行されることを簡単かつ確実に防止することができる。【０１８４】
例えば、撮像スケジュールが急遽変更となって撮像オーダデータが修正されたり消去されたような場合、最初の撮像オーダデータに対応して注入動作が開始されることがない。【０１８５】
さらに、撮像オーダデータが一致しないことが薬液注入装置４００により作業者に報知されるので、作業者は撮像オーダデータの変更を確実に認識して確認することができる。【０１８６】
また、薬液注入装置４００を利用した一般的な注入作業では、上述のように注入実行ヘッド４１０から離間した注入制御ユニット４０１で注入制御データを設定するが、この設定が完了すると注入実行ヘッド４１０の位置で薬液シリンジ８００や被験者の状態などを最終確認することになる。【０１８７】
そして、本実施の形態の薬液注入装置４００では、上述のように注入直前に撮像オーダデータを再度取得して一致を確認するための最終確認スイッチ４１４が注入実行ヘッド４１０に配置されている。このため、従来から必須の注入実行ヘッド４１０の位置での最終確認のときに、撮像オーダデータを再度取得して一致を確認することを入力操作できる。【０１８８】
さらに、本実施の形態の薬液注入装置４００では、撮像オーダデータの被験者ＩＤが取得されて対応する注入制御データが取得されても、撮像オーダデータの被験者ＩＤを再度取得して確認しないと注入動作を開始できない。【０１８９】
しかし、注入制御データの全部が手動入力されたときは、注入制御データの設定が完了すれば注入動作を開始することができる。このため、注入動作の禁止と解禁とを簡単な条件で適切に制御することができる。【０１９０】
さらに、注入制御データに基づいて注入動作が実行されるとき、計時グラフがリアルタイムに表示出力されるので、作業者は注入状態をリアルタイムに確認することができる。【０１９１】
特に、注入制御データがＰＡＣＳ３００から取得されて設定された場合、その各種の設定内容が計時グラフとともに表示出力されるので、作業者は注入制御データの設定内容を常時確認することができる。【０１９２】
さらに、本実施の形態の薬液注入装置４００では、ＲＩＳ１００から撮像オーダデータが取得された場合は、その撮像オーダデータに基づいて計時グラフに撮像開始時刻が表示出力される。【０１９３】
このため、作業者は注入状況と撮像開始時刻との関係をリアルタイムに確認することができる。特に、その撮像開始時刻は専用のロゴマークにより表示出力されるので、作業者は直感的に確認することができる。【０１９４】
しかも、本実施の形態の透視撮像システム１０００では、上述のようにＰＡＣＳ３００で保存される透視画像データに関連付けられて注入履歴データと注入制御データも保存される。【０１９５】
このため、例えば、透視画像データを閲覧するときに注入履歴データと注入制御データも確認することができる。従って、透視画像データを閲覧する作業者が、その透視画像データの撮像時に被験者に薬液が如何に注入されたかまで確認することができる。【０１９６】
そして、上述の注入制御データは被験者ＩＤ等とともにＰＡＣＳ３００で保存されるので、薬液注入装置４００は、その注入制御データを被験者ＩＤ等で取得して注入作業に利用することができる。【０１９７】
しかも、上述のように透視画像データと注入履歴データとは撮像作業ＩＤで関連されるが、その撮像作業ＩＤは、注入制御データを自動設定するときに撮像オーダデータとして薬液注入装置４００に取得される。【０１９８】
つまり、ＲＩＳ１００から制御ボックス５００を経由して薬液注入装置４００に取得される撮像オーダデータを、注入制御データの取得と注入履歴データの生成との両方に利用することができる。【０１９９】
また、もしも造影剤の注入作業に疑義が発生したような場合でも、透視画像データとともに注入履歴データと注入制御データとを確認することができるので、その注入履歴データと注入制御データとを証拠とすることができる。【０２００】
特に、本実施の形態の透視撮像システム１０００の各種装置１００〜６００はＤＩＣＯＭの規約で各種データを相互通信する。ＤＩＣＯＭの通信データは改竄が困難なので、注入履歴データと注入制御データとの証拠能力が高い。【０２０１】
しかも、注入作業の完了通知データが薬液注入装置４００から制御ボックス５００を経由してＲＩＳ１００に保存される。このＲＩＳ１００では、完了通知データが撮像オーダデータと関連されて管理されるので、例えば、ＲＩＳ１００からＣＴスキャナ２００に撮像オーダデータとともに薬液注入の開始時刻や終了時刻などを通知することもできる。【０２０２】
この場合、ＣＴスキャナ２００を操作する作業者が薬液注入の開始時刻や終了時刻を参照することができるので、その時刻に対応して画像撮像の開始時刻を調整するようなことができる。【０２０３】
しかも、上述のように自動的に取得される注入条件データや薬液条件データが表示出力されるので、作業者は注入条件データや薬液条件データが適正かを簡単かつ確実に確認することができる。【０２０４】
特に、注入条件データとして被験者の氏名や性別、薬液条件データである製品名称、等も表示出力される。このため、これで作業者は注入条件データと実際の被験者との整合や、使用する薬液が適正かなどを、簡単かつ確実に確認することができる。【０２０５】
なお、被験者ＩＤ等からなる注入条件データの取得は、「ｉ」なるロゴと人体の模式画像による専用のアイコンにより入力操作される。このため、作業者は注入条件データの取得操作を直感的に実行することができる。【０２０６】
また、ＲＦＩＤチップ８１０から取得された薬液条件データは、「ＲＦＩＤ」なる所定のロゴマークとともに表示出力される。このため、表示出力された薬液条件データがＲＦＩＤチップ８１０から取得されたことを、作業者は直感的に確認することができる。【０２０７】
特に、上述のような表示出力は、薬液注入装置４００の注入制御ユニット４０１のタッチパネル４０３だけではなく注入実行ヘッド４１０のヘッドディスプレイ４１５にも表示出力される。このため、作業者は注入実行ヘッド４１０の位置で作業しながらでも注入条件データや薬液条件データを確認することができる。【０２０８】
なお、本発明は上記形態に限定されるものではなく、その要旨を逸脱しない範囲で各種の変形を許容する。例えば、上記形態では薬液注入装置４００で注入作業に利用された注入制御データが注入履歴データや被験者ＩＤなどとともにＰＡＣＳ３００に登録され、その注入制御データがＰＡＣＳ３００から薬液注入装置４００に被験者ＩＤ等により取得されて注入作業に利用されることを例示した。【０２０９】
しかし、薬液注入装置４００で注入作業とともに生成された注入履歴データが被験者ＩＤ等とともにＰＡＣＳ３００に登録され、その注入履歴データがＰＡＣＳ３００から薬液注入装置４００に被験者ＩＤ等により取得され、注入制御データとして注入作業に利用されてもよい。【０２１０】
この場合、薬液注入装置４００で注入履歴データから注入制御データを生成する作業が必要となるが、ＰＡＣＳ３００に注入履歴データを登録しておけば注入制御データの登録を無用とすることができる。【０２１１】
また、上記形態では薬液注入装置４００の外部のＰＡＣＳ３００に注入制御データや注入履歴データが登録されることを例示した。しかし、薬液注入装置４００の内部に注入制御データや注入履歴データが登録されてもよい（図示せず）。【０２１２】
さらに、上記形態では薬液の注入条件に関連した所定の注入条件データとして身体区分や撮像部位も薬液注入装置４００に入力され、ＰＡＣＳ３００は注入制御データを被験者ＩＤだけでなく身体区分や撮像部位とともに記憶し、薬液注入装置４００が被験者ＩＤだけでなく身体区分や撮像部位にも対応する注入制御データをＰＡＣＳ３００から取得することを例示した。【０２１３】
しかし、上述のような注入条件データとして、薬液の製品ＩＤ、薬液の含有成分、薬液の化学分類、薬液の成分濃度、等を利用することもできる。その場合、このような注入条件データは、やはりＲＩＳ１００に登録されている撮像オーダデータから薬液注入装置４００が取得してもよく、薬液注入装置４００に手動入力されてもよく、薬液シリンジ８００のＲＦＩＤチップ８１０から薬液注入装置４００に取得されてもよい。【０２１４】
なお、通常の運用ではＣＴスキャナ２００やＭＲＩ装置（図示せず）などの透視画像データは別個に保存されるが、もしも一個のＰＡＣＳ３００で区別なく保存するような場合には、その透視画像データの形式区分も、上述の注入条件データとして利用することができる。【０２１５】
また、上記形態ではＰＡＣＳ３００から薬液注入装置４００に取得された注入制御データが、必要により手動操作で編集されることを例示した。しかし、上述のようにＰＡＣＳ３００から薬液注入装置４００に取得された注入制御データが注入条件データに対応して自動調整されてもよい。【０２１６】
このような注入条件データとしては、被験者の体重、薬液の成分濃度、薬液の含有成分、等を利用することができる。例えば、ＰＡＣＳ３００から薬液注入装置４００に取得された過去の注入制御データに付与されている被験者の体重が５０ｋｇで、薬液注入装置４００に入力されている現在の体重が６０ｋｇならば、その注入制御データの注入速度や注入総量を１．２（＝６０／５０）倍にする、等の処理動作が好適である。【０２１７】
同様に過去の注入制御データに付与されている薬液の成分濃度が１０％で、薬液注入装置４００に入力されている現在の成分濃度が２０％ならば、その注入制御データの注入速度や注入総量を０．５（＝１０／２０）倍にする、等の処理動作が好適である。【０２１８】
なお、上述のように注入制御データの自動調整に利用する注入条件データも、やはりＲＩＳ１００に登録されている撮像オーダデータから薬液注入装置４００が取得してもよく、薬液注入装置４００に手動入力されてもよく、薬液シリンジ８００のＲＦＩＤチップ８１０から薬液注入装置４００に取得されてもよい。【０２１９】
さらに、上記形態では薬液シリンジ８００に搭載されているＲＦＩＤチップ８１０から製品ＩＤや含有成分や化学分類などを薬液注入装置４００が取得して表示出力することにより、作業者が薬液の各種データを確認できることを例示した。【０２２０】
しかし、ＰＡＣＳ３００が注入制御データとともに薬液シリンジ８００の製品ＩＤも記憶し、薬液注入装置４００がＰＡＣＳ３００から注入制御データとともに製品ＩＤも取得し、注入制御データとともに取得された製品ＩＤと薬液シリンジ８００から取得された製品ＩＤとの一致を確認し、製品ＩＤが一致しないと警告を報知出力してもよい（図示せず）。【０２２１】
同様に、ＰＡＣＳ３００が注入制御データとともに含有成分や化学分類も記憶し、薬液注入装置４００がＰＡＣＳ３００から注入制御データとともに含有成分や化学分類も取得し、注入制御データとともに取得された含有成分や化学分類と薬液シリンジ８００から取得された含有成分や化学分類との一致を確認し、含有成分が一致しないと警告を報知出力してもよい。【０２２２】
上述のような透視撮像システムでは、前回と相違する薬液が注入される医療ミスを防止することができる。特に、その製品ＩＤ等が前回の注入制御データと今回の薬液シリンジ８００から取得されるので、前回と相違する薬液が注入される医療ミスを自動的に確実に防止することができる。【０２２３】
また、ＲＩＳ１００が、被験者ごとに注入に不適な薬液の製品ＩＤが不適ＩＤとして被験者ＩＤとともに設定されている撮像オーダデータを記憶し、薬液注入装置４００が、薬液シリンジ８００のＲＦＩＤチップ８１０から製品ＩＤを取得するとともに撮像オーダデータから不適ＩＤを取得し、薬液シリンジ８００から取得された製品ＩＤと撮像オーダデータから取得された不適ＩＤとの一致を確認し、その製品ＩＤと不適ＩＤとが整合すると、「この薬液は、この被験者には注入できません。」などの警告メッセージをタッチパネルに表示出力させるとともに、注入実行機構を作動不能に動作制御してもよい。【０２２４】
この場合、例えば、被験者に注入される薬液がＣＴ用の造影剤などの種別は適切でありながらも、副作用などの被験者の個人的な理由で注入不適な場合に、これを薬液注入装置４００が自動的に検出して作業者に報知出力することができる。従って、作業者は迅速に事態を認識して薬液の変更などの対処を実行することができる。【０２２５】
特に、薬液シリンジ８００が注入実行ヘッド４１０に装填されると自動的に製品ＩＤが取得され、注入制御データとして撮像オーダデータが入力されると不適ＩＤも自動的に取得される。このため、その取得や照合のために専用の作業などが必要なく、簡単かつ確実に製品ＩＤと不適ＩＤとを照合することができる。【０２２６】
同様に、ＲＩＳ１００が、被験者ごとに注入に不適な薬液の含有成分や化学分類が不適成分や不適分類として被験者ＩＤとともに設定されている撮像オーダデータを記憶し、薬液注入装置４００が、薬液シリンジ８００のＲＦＩＤチップ８１０から含有成分や化学分類を取得するとともに撮像オーダデータから不適成分や不適分類を取得し、薬液シリンジ８００から取得された含有成分や化学分類と撮像オーダデータから取得された不適成分や不適分類との整合を確認し、含有成分が不適成分に整合したり化学分類が不適分類に整合すると警告を報知出力させるとともに、注入実行機構を作動不能に動作制御してもよい。【０２２７】
これらの場合、被験者への注入の適否を含有成分や化学分類ごとに管理することができる。このため、例えば、初めて注入する薬液でも適否を的確に予想するようなことができる。【０２２８】
さらに、ＲＦＩＤチップ８１０に薬液条件データの少なくとも一部として撮像作業に対応した作業種別を適正種別として記録しておき、撮像オーダデータに作業種別を設定しておき、ＲＦＩＤチップ８１０から取得された適正種別と注入条件データに設定されている作業種別とを薬液注入装置４００が照合して整合しないと警告を報知してもよい。【０２２９】
この場合、例えば、ＣＴスキャナ２００により透視画像が撮像される被験者にＭＲＩ用の造影剤が注入されるような医療ミスを防止することができる。反対に、撮像作業に対応した薬液種別を撮像オーダデータに適正種別として設定しておき、ＲＦＩＤチップ８１０から取得された薬液種別と注入条件データに設定されている適正種別とを薬液注入装置４００が照合して整合しないと警告を報知してもよい。【０２３０】
さらに、上記形態ではＲＩＳ１００に登録されている撮像オーダデータから被験者ＩＤや撮像部位などが薬液注入装置４００に取得されることにより、作業者が薬液注入装置４００に被験者ＩＤ等を入力操作する必要がなく、その誤入力も防止できることを例示した。【０２３１】
しかし、上述の被験者ＩＤや撮像部位などの一部ないし全部が薬液注入装置４００に入力操作されてもよい。また、透視撮像システム１０００が、少なくとも被験者ＩＤが記録されているＲＦＩＤチップが搭載されている被験者ごとの被験者管理媒体（図示せず）を有し、薬液注入装置４００が、被験者管理媒体のＲＦＩＤチップから被験者ＩＤを取得してもよい。【０２３２】
上述のような被験者管理媒体は、例えば、ＲＦＩＤチップが搭載されているカルテファイル、被験者の腕部に装着される管理腕章、等として実現することができる（図示せず）。【０２３３】
この場合、やはり作業者による被験者ＩＤの入力操作を無用とすることができ、その誤入力も防止することができる。さらに、このような被験者管理媒体のＲＦＩＤチップに撮像部位や体重などの注入条件データも登録しておき、これを薬液注入装置４００に取得させて注入制御データの自動調整に利用させてもよい。【０２３４】
また、上記形態ではＲＩＳ１００の撮像オーダデータの被験者ＩＤを薬液注入装置４００が注入直前にも取得して確認することにより、撮像オーダデータの変更などに対処できることを例示した。【０２３５】
しかし、薬液注入装置４００が、ＲＩＳ１００の撮像オーダデータから取得した被験者ＩＤと、被験者管理媒体のＲＦＩＤチップから取得した被験者ＩＤと、の一致も確認し、その一致が確認されるまでシリンジ駆動機構４１２の動作制御を禁止してもよく、一致が確認されないと所定の確認警告を報知出力してもよい。【０２３６】
さらに、上記形態では薬液注入装置４００が提供する被験者ＩＤ等に該当する複数の注入制御データがＰＡＣＳ３００に登録されていた場合、その複数の注入制御データがＰＡＣＳ３００から薬液注入装置４００に送信され、この薬液注入装置４００で最新の一つの注入制御データが選択されることを例示した。【０２３７】
しかし、ＰＡＣＳ３００で最新の一つの注入制御データが選択されて薬液注入装置４００に送信されてもよい。この場合、ＰＡＣＳ３００に専用の処理動作が必要となるが、送信データの容量を削減して輻輳を防止することができる。【０２３８】
また、ＰＡＣＳ３００から送信された複数の注入制御データが薬液注入装置４００で一覧表示され、その一覧表示された注入制御データの一つが選択操作されてもよい。この場合、作業者が所望により最適な注入制御データを選択することができる。さらに、ＰＡＣＳ３００から送信された複数の注入制御データから、例えば、体重が最も近いなどの所定条件に対応して薬液注入装置４００が一つを選択してもよい。【０２３９】
また、上記形態ではＲＩＳ１００で管理されている撮像オーダデータの全部が制御ボックス５００に取得され、この制御ボックス５００から薬液注入装置４００に撮像オーダデータの一部が注入条件データとして取得されることを例示した。しかし、撮像オーダデータの全部が注入条件データとして薬液注入装置４００に取得されてもよい。【０２４０】
さらに、上記形態ではＲＩＳ１００がプッシュ型であり、制御ボックス５００が適正な撮像オーダデータをタイミングにより取得することを例示した。しかし、ＲＩＳ１００がプル型であってもよい。【０２４１】
その場合、ＣＴスキャナ２００は、撮像オーダデータの取得要求を少なくとも一つのオーダ検索キーとともにＲＩＳ１００に送信する。すると、ＲＩＳ１００は、ＣＴスキャナ２００から受信した取得要求とオーダ検索キーとに対応して複数の撮像オーダデータから一つを選定して返信する。【０２４２】
そして、制御ボックス５００は、薬液注入装置４００から受信する撮像オーダデータの取得要求をＲＩＳ１００に送信する。すると、ＲＩＳ１００は、制御ボックス５００から受信した取得要求に対応して選定されている一つの撮像オーダデータを返信する。【０２４３】
または、ＲＩＳ１００は、ＣＴスキャナ２００から受信した取得要求に対応して複数の撮像オーダデータを返信する。この場合、ＣＴスキャナ２００は、返信された複数の撮像オーダデータから一つが選定される操作を受け付け、選定された撮像オーダデータをＲＩＳ１００に通知する。【０２４４】
または、ＲＩＳ１００は、ＣＴスキャナ２００から受信した取得要求とオーダ検索キーとに対応して複数の撮像オーダデータから一部を検索して返信する。ＣＴスキャナ２００は、返信された撮像オーダデータから一つが選定される操作を受け付け、選定された撮像オーダデータをＲＩＳ１００に通知する。【０２４５】
そこで、制御ボックス５００が、撮像オーダデータの取得要求をＲＩＳ１００に転送すると、ＲＩＳ１００は、制御ボックス５００から受信した取得要求に対応してＣＴスキャナ２００から通知されている一つの撮像オーダデータを返信する。【０２４６】
上述のようにすることで、ＲＩＳ１００がプル型であっても、制御ボックス５００が適正な撮像オーダデータを取得して撮像作業ＩＤなどを注入履歴データに付与することができる。【０２４７】
さらに、上記形態では制御ボックス５００がＲＩＳ１００から撮像オーダデータを取得することを例示した。しかし、ＲＩＳ１００とＣＴスキャナ２００とが制御ボックス５００を経由して接続されており、ＲＩＳ１００からＣＴスキャナ２００まで送信される撮像オーダデータを制御ボックス５００が取得してもよい。【０２４８】
また、制御ボックス５００がＲＩＳ１００に接続されることなくＣＴスキャナ２００に接続されており、このＣＴスキャナ２００から制御ボックス５００が撮像オーダデータを取得してもよい。【０２４９】
その場合、例えば、制御ボックス５００が、薬液注入装置４００から受信する取得要求をＣＴスキャナ２００に転送し、ＣＴスキャナ２００が、制御ボックス５００から受信した取得要求に対応して撮像オーダデータを返信すればよい。【０２５０】
または、ＣＴスキャナ２００が、プル型のＲＩＳ１００から返信された複数の撮像オーダデータから一つが選定される操作を受け付け、その選定された撮像オーダデータを制御ボックス５００に転送してもよい。【０２５１】
さらに、制御ボックス５００がＲＩＳ１００とＣＴスキャナ２００とに接続されており、最初の撮像オーダデータはＲＩＳ１００から取得され、確認の撮像オーダデータはＣＴスキャナ２００から取得されてもよい。【０２５２】
さらに、上記形態では薬液注入装置４００で生成された注入履歴データや注入制御データがＣＴスキャナ２００で生成された透視画像データとともにＰＡＣＳ３００に保存されることを例示した。【０２５３】
しかし、薬液注入装置４００から制御ボックス５００を経由してＲＩＳ１００に注入履歴データや注入制御データを送信し、この注入履歴データや注入制御データをＲＩＳ１００に保存させてもよい。この場合、ＲＩＳ１００では、撮像オーダデータと注入履歴データや注入制御データを作業ＩＤなどで関連させて管理することができる。【０２５４】
この場合でも、ＰＡＣＳ３００に登録されている透視画像データにも撮像オーダデータの作業ＩＤが付与されているので、やはり透視画像データと注入履歴データや注入制御データを関連させることができる。【０２５５】
さらに、上記形態では撮像オーダデータの全部が透視画像データに付与されてＰＡＣＳ３００に保存されることを例示した。しかし、撮像オーダデータの撮像作業ＩＤのみが透視画像データに付与されてもよい。【０２５６】
この場合でも、撮像作業ＩＤにより透視画像データと注入履歴データや注入制御データを関連付けることができ、撮像オーダデータは撮像作業ＩＤによりＲＩＳ１００から読み出すことができる。【０２５７】
また、撮像オーダデータの撮像作業ＩＤのみ透視画像データに付与し、撮像オーダデータの全部を注入履歴データや注入制御データに付与してもよく、撮像オーダデータを透視画像データと注入履歴データや注入制御データとに振り分けて付与してもよい。さらに、薬液注入装置４００のタッチパネル４０３およびヘッドディスプレイ４１５の表示画像の全体を注入履歴データに内包させてもよい。【０２５８】
また、上記形態では薬液注入装置４００に注入制御データが設定されることのみ例示した。しかし、その注入制御データが薬液注入装置４００から制御ボックス５００に通知されてもよく、その注入制御データが制御ボックス５００からＲＩＳ１００に通知されてもよい。この場合、注入制御データをＲＩＳ１００からＣＴスキャナ２００に撮像オーダデータなどとともに通知することができる。【０２５９】
従って、ＣＴスキャナ２００を操作する作業者が注入制御データを参照することができるので、注入制御データに対応して撮像動作を調整するようなことができる。また、ＣＴスキャナ２００の撮像制御ユニット２１０が取得した注入制御データに基づいて撮像動作を自動調整することも不可能ではない。【０２６０】
また、上記形態では薬液注入装置４００で注入履歴データを完成してから制御ボックス５００に送信することを例示した。しかし、薬液注入装置４００が注入履歴データを制御ボックス５００に分散して送信し、制御ボックス５００で注入履歴データを完成してもよい。【０２６１】
より具体的には、薬液注入装置４００が注入開始とともに注入制御データや開始日時などを制御ボックス５００に送信し、注入過程で注入速度などを制逐次送信し、注入終了とともに終了日時などを送信する。この場合、制御ボックス５００が注入開始から注入終了まで蓄積した各種データから注入履歴データを完成して出力することができる。【０２６２】
また、上記形態では各種装置１００〜６００が改竄困難なＤＩＣＯＭ形式で各種データを相互通信することにより、注入履歴データなどの証拠能力が高いことを例示した。しかし、薬液注入装置４００が注入履歴データをＰＤＦ（Ｐｏｒｔａｂｌｅ  Ｄｏｃｕｍｅｎｔ  Ｆｏｒｍａｔ）などの改竄困難なデータフォーマットで生成してもよい。【０２６３】
同様に、制御ボックス５００が薬液注入装置４００からＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式で受信した注入履歴データをＰＤＦ形式に変換してもよい。さらに、薬液注入装置４００や制御ボックス５００が、いわゆるインターネットに接続されており、電子署名を取得して注入履歴データに付与してもよい。【０２６４】
さらに、上記形態では注入実行ヘッド４１０の手前となる左側面の後部から下方にヘッドディスプレイ４１５が直接に装着されていることを例示した。しかし、このようなヘッドディスプレイ４１５は、注入実行ヘッド４１０の操作を阻害せず、画面を確認できればよい。【０２６５】
このため、図２３に示すように、ヘッドディスプレイ４１５が、注入実行ヘッド４１０の右側面に装着されていてもよく、前部に装着されていてもよく、上方に装着されていてもよい。また、図２４に示すように、ヘッドディスプレイ４１５が注入実行ヘッド４１０に可動アーム４１８などにより移動自在に装着されていてもよい。【０２６６】
さらに、上記形態では薬液注入装置４００が二個の薬液シリンジ８００により被験者に造影剤と生理食塩水とを注入することを例示した。しかし、薬液注入装置が一個の薬液シリンジ８００により薬液として造影剤や生理食塩水などを被験者に注入してもよい（図示せず）。【０２６７】
また、上記形態では透視撮像装置としてＣＴスキャナ２００を使用し、薬液注入装置４００が薬液としてＣＴ用の造影剤を注入することを例示した。しかし、透視撮像装置がＭＲＩやＰＥＴ装置や超音波診断装置などからなり、それ用の造影剤などを薬液注入装置が注入してもよい。【０２６８】
さらに、上記形態ではＣＴスキャナ２００と薬液注入装置４００とが個々にスタンドアロンで動作することを例示した。しかし、ＣＴスキャナ２００と薬液注入装置４００とがデータ通信により各種の動作を連動させてもよい。【０２６９】
また、上記形態では説明を簡単とするため、透視撮像システム１０００の各部が各々一個であることを例示した。しかし、大規模な病院などでは、複数の透視撮像システム１０００の各々がＲＩＳ１００とＣＴスキャナ２００と薬液注入装置４００と制御ボックス５００とを一個ずつ有し、その複数の透視撮像システムがＰＡＣＳ３００と画像閲覧装置６００とを共有する構造でよい（図示せず）。ただし、このような場合でも、ＲＩＳ１００やＰＡＣＳ３００や画像閲覧装置６００などのハードウェアは並列に接続された複数であってよい（図示せず）。【０２７０】
さらに、上記形態では一個のＰＡＣＳ３００で透視画像データと注入履歴データや注入制御データが保存されることを例示した。しかし、透視画像データと注入履歴データと注入制御データとを保存するハードウェアが別個に形成されていて通信ネットワークで接続されていてもよい。【０２７１】
また、上記形態では、ＲＩＳ１００、ＣＴスキャナ２００、ＰＡＣＳ３００、薬液注入装置４００、制御ボックス５００、画像閲覧装置６００、が別体に形成されていて通信ネットワーク７０１〜７０６により接続されていることを例示した。【０２７２】
しかし、上述のような各種装置１００〜６００が各種の組み合わせで一体に形成されていてもよい。例えば、薬液注入装置４００の注入制御ユニット４０１と制御ボックス５００が一体に形成されていること、これにＲＩＳ１００やＰＡＣＳ３００が一体に形成されていること、ＰＡＣＳ３００と画像閲覧装置６００とが一体に形成されていること、等も可能である。【０２７３】
また、制御ボックス５００に、ＲＩＳ１００やＰＡＣＳ３００が一体に形成されていること、制御ボックス５００とＰＡＣＳ３００と画像閲覧装置６００とが一体に形成されていること、等も可能である。【０２７４】
さらに、ＣＴスキャナ２００の撮像制御ユニット２１０とＲＩＳ１００と制御ボックス５００とが一体に形成されていること、ＣＴスキャナ２００の撮像制御ユニット２１０とＰＡＣＳ３００と制御ボックス５００とが一体に形成されていること、これに画像閲覧装置６００が一体に形成されていること、等も可能である。【０２７５】
また、画像閲覧装置６００とＰＡＣＳ３００とが一体に形成されていること、これに制御ボックス５００やＣＴスキャナ２００の撮像制御ユニット２１０が一体に形成されていること、等も可能である。【０２７６】
さらに、上記形態ではコンピュータプログラムに対応してコンピュータ装置が動作することにより、各種装置１００〜６００の各部が各種機能として論理的に実現されることを例示した。【０２７７】
しかし、その各部の各々を固有のハードウェアとして形成することも可能であり、一部をソフトウェアとして形成するとともに一部をハードウェアとして形成することも可能である。【０２７８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明の機能を満足する範囲で各種に変更することができる。
【図１】
2008149518.tif 000003
【図２】
2008149518.tif 000004
【図３】
2008149518.tif 000005
【図４】
2008149518.tif 000006
【図５】
2008149518.tif 000007
【図６】
2008149518.tif 000008
【図７】
2008149518.tif 000009
【図８】
2008149518.tif 000010
【図９】
2008149518.tif 000011
【図１０】
2008149518.tif 000012
【図１１】
2008149518.tif 000013
【図１２】
2008149518.tif 000014
【図１３】
2008149518.tif 000015
【図１４】
2008149518.tif 000016
【図１５】
2008149518.tif 000017
【図１６】
2008149518.tif 000018
【図１７】
2008149518.tif 000019
【図１８】
2008149518.tif 000020
【図１９】
2008149518.tif 000021
【図２０】
2008149518.tif 000022
【図２１】
2008149518.tif 000023
【図２２】
2008149518.tif 000024
【図２３】
2008149518.tif 000025
【図２４】
2008149518.tif 000026
【国際調査報告】
2008149518.tif 000027
2008149518.tif 000028
2008149518.tif 000029
2008149518.tif 000030